(57)【要約】一実施形態によれば、第１のセル上にキャンプしているワイヤレスセルラー電気通信デバイスによって使用するための方法が提供される。方法は、デバイスにおいて、優先順位ベースの再選択アルゴリズムに適用可能であり、別のセルに適用可能でもあるパラメータを選択するステップと、第２のセルから受信された信号の属性を測定するステップと、選択されたパラメータおよび測定された属性に少なくとも基づいて、ランキングアルゴリズムに従って、再選択のために第２のセルを評価するステップとを含む。デバイスおよびコンピュータ可読媒体も提供される。
2013544478.tif 000002
【特許請求の範囲】
【請求項１】
第１のセル上にキャンプしているワイヤレスセルラー電気通信デバイスによって使用するための方法であって、
該方法は、該デバイスにおいて、
優先順位ベースの再選択アルゴリズムに適用可能であり、別のセルに適用可能でもあるパラメータを選択することと、
第２のセルから受信される信号の属性を測定することと、
該選択されたパラメータおよび該測定された属性に少なくとも基づいて、ランキングアルゴリズムに従って、再選択のために該第２のセルを評価することと
を含む、方法。
【請求項２】
前記評価に基づいて、前記第１のセルから前記第２のセルへの再選択を行うことをさらに含む、請求項１に記載の方法。
【請求項３】
前記評価は、前記セルが再選択要件を満たすか否かを決定することを含み、前記第２のセルは、前記測定された属性が、所定量だけ前記選択されたパラメータを超えられない場合、該再選択要件を満たさないことが決定される、請求項１または２に記載の方法。
【請求項４】
前記所定量は、ゼロである、請求項３に記載の方法。
【請求項５】
前記所定量は、１０デシベル（ｄＢ）である、請求項３に記載の方法。
【請求項６】
優先順位ベースの再選択アルゴリズムに適用可能であり、別のセルに適用可能でもあるパラメータを前記選択することは、前記第１のセルの中において受信されるシステム情報から該パラメータを復号することを含む、請求項１〜５のうちのいずれかに記載の方法。
【請求項７】
優先順位ベースの再選択アルゴリズムに適用可能であり、別のセルに適用可能でもあるパラメータを前記選択することは、前記デバイス上のデータ記憶から該パラメータを取り出すことを含み、該パラメータは、該デバイスが以前に第３のセル上にキャンプしていたときに該デバイスによって記憶された、請求項１〜５のうちのいずれかに記載の方法。
【請求項８】
前記デバイスは、前記パラメータがどのように得られたかについての記憶された表示を有する、請求項７に記載の方法。
【請求項９】
前記パラメータは、１つ以上の特定の周波数と関連付けられ、該１つ以上の特定の周波数において動作するセルのみに適用可能である、請求項１〜８のうちのいずれかに記載の方法。
【請求項１０】
前記パラメータは、特定の周波数と関連付けられ、その周波数において動作するセルのみに適用可能である、請求項１〜９のうちのいずれかに記載の方法。
【請求項１１】
前記デバイスが、優先順位ベースの再選択アルゴリズムに適用可能であり、別のセルにも適用可能であるパラメータを決定できない場合、
前記測定された属性、およびセルのシステム情報ブロックから得られた第１の記憶された好適性パラメータに少なくとも基づいて、前記第２のセルを評価することをさらに含む、請求項１〜１０のうちのいずれかに記載の方法。
【請求項１２】
前記第１の記憶された好適性パラメータは、前記第２のセルが動作する周波数と関連付けられる、請求項１１に記載の方法。
【請求項１３】
前記第１の記憶された好適性パラメータが利用可能ではない場合、
前記測定された属性、およびセルのシステム情報ブロックから得られた第２の記憶された好適性パラメータに少なくとも基づいて、前記第２のセルを評価することをさらに含み、該第２の記憶された好適性パラメータは、該第２のセルが動作しない周波数と関連付けられる、請求項１１または１２に記載の方法。
【請求項１４】
前記第１のセルは、ＧＳＭ（登録商標）  ＥＤＧＥ無線アクセスネットワーク（ＧＥＲＡＮ）のセルである、請求項１〜１３のうちのいずれかに記載の方法。
【請求項１５】
前記パラメータは、最小限必要な受信レベルを示す、請求項１〜１４のうちのいずれかに記載の方法。
【請求項１６】
前記測定された属性は、受信信号コード電力（ＲＳＣＰ）である、請求項１〜１５のうちのいずれかに記載の方法。
【請求項１７】
前記第１のセルと第２のセルとは、同じワイヤレス無線ネットワークのものである、請求項１〜１６のうちのいずれかに記載の方法。
【請求項１８】
前記第１のセルと第２のセルとは、異なるワイヤレス無線ネットワークのものである、請求項１〜１６のうちのいずれかに記載の方法。
【請求項１９】
前記第１のセルと第２のセルとは、同じワイヤレス無線アクセス技術のものである、請求項１〜１８のうちのいずれかに記載の方法。
【請求項２０】
前記第１のセルと第２のセルとは、異なるワイヤレス無線アクセス技術のものである、請求項１〜１８のうちのいずれかに記載の方法。
【請求項２１】
ワイヤレスセルラー電気通信デバイスであって、
該デバイスは、
第１のセル上にキャンプすることと、
優先順位ベースの再選択アルゴリズムに適用可能であり、別のセルに適用可能でもあるパラメータを選択することと、
第２のセルから受信された信号の属性を測定することと、
該選択されたパラメータおよび該測定された属性に少なくとも基づいて、ランキングアルゴリズムに従って、再選択のために該第２のセルを評価することと
を行うように適合される、デバイス。
【請求項２２】
前記デバイスは、前記評価に基づいて、前記第１のセルから前記第２のセルへの再選択を行うようにさらに適合される、請求項２１に記載の無線セルラー電気通信デバイス。
【請求項２３】
前記評価は、前記セルが再選択に好適であるか否かを決定することを含み、前記第２のセルは、前記測定された属性が所定量だけ前記パラメータを超えられない場合、好適ではないことが決定される、請求項２１または２２に記載のワイヤレスセルラー電気通信デバイス。
【請求項２４】
前記所定量は、ゼロである、請求項２３に記載のワイヤレスセルラー電気通信デバイス。
【請求項２５】
前記所定量は、１０デシベル（ｄＢ）である、請求項２３に記載のワイヤレスセルラー電気通信デバイス。
【請求項２６】
優先順位ベースの再選択アルゴリズムに適用可能であり、別のセルに適用可能でもあるパラメータを前記選択することは、前記第１のセルの中において受信されるシステム情報から該パラメータを復号することを含む、請求項２１〜２５のうちのいずれかに記載のワイヤレスセルラー電気通信デバイス。
【請求項２７】
優先順位ベースの再選択アルゴリズムに適用可能であり、別のセルに適用可能でもあるパラメータを前記選択することは、前記デバイス上のデータ記憶から該パラメータを取り出すことを含み、該パラメータは、該デバイスが以前に第３のセル上にキャンプしていたときに該デバイスによって記憶された、請求項２１〜２６のうちのいずれかに記載のワイヤレスセルラー電気通信デバイス。
【請求項２８】
前記デバイスは、前記パラメータがどのように得られたかについての記憶された表示を有する、請求項２６に記載のワイヤレスセルラー電気通信デバイス。
【請求項２９】
前記パラメータは、１つ以上の特定の周波数において動作するセルのみに適用可能である、請求項２１〜２７のうちのいずれかに記載のワイヤレスセルラー電気通信デバイス。
【請求項３０】
前記パラメータは、特定の周波数と関連付けられ、その周波数において動作するセルのみに適用可能である、請求項２１〜２９のうちのいずれかに記載のワイヤレスセルラー電気通信デバイス。
【請求項３１】
前記デバイスが優先順位ベースの再選択アルゴリズムに適用可能であり、別のセルに適用可能でもあるパラメータを決定できない場合、該デバイスは、
前記測定された属性、およびセルのシステム情報ブロックから得られた第１の記憶された好適性パラメータに少なくとも基づいて、前記第２のセルを評価するようにさらに適合される、請求項２１〜３０のうちのいずれかに記載のワイヤレスセルラー電気通信デバイス。
【請求項３２】
前記第１の記憶された好適性パラメータは、前記第２のセルが動作する周波数と関連付けられる、請求項３１に記載のワイヤレスセルラー電気通信デバイス。
【請求項３３】
前記第１の記憶された好適性パラメータが利用可能ではない場合、前記デバイスは、
前記測定された属性、およびセルのシステム情報ブロックから得られた第２の記憶された好適性パラメータに少なくとも基づいて、前記第２のセルを評価するようにさらに適合され、該第２の記憶された好適性パラメータは、該第２のセルが動作しない周波数と関連付けられる、請求項３１または３２に記載のワイヤレスセルラー電気通信デバイス。
【請求項３４】
前記第１のセルは、ＧＳＭ（登録商標）  ＥＤＧＥ無線アクセスネットワーク（ＧＥＲＡＮ）のセルである、請求項２１〜３３のうちのいずれかに記載のワイヤレスセルラー電気通信デバイス。
【請求項３５】
前記パラメータは、最小限必要な受信レベルを示す、請求項２１〜３４のうちのいずれかに記載のワイヤレスセルラー電気通信デバイス。
【請求項３６】
前記測定された属性は、受信信号コード電力（ＲＳＣＰ）である、請求項２１〜３５のうちのいずれかに記載のワイヤレスセルラー電気通信デバイス。
【請求項３７】
前記第１のセルと第２のセルとは、同じワイヤレス無線ネットワークのものである、請求項２１〜３６のうちのいずれかに記載のワイヤレスセルラー電気通信デバイス。
【請求項３８】
前記第１のセルと第２のセルとは、異なるワイヤレス無線ネットワークのものである、請求項２１〜３６のうちのいずれかに記載のワイヤレスセルラー電気通信デバイス。
【請求項３９】
前記第１のセルと第２のセルとは、同じワイヤレス無線アクセス技術のものである、請求項２１〜３８のうちのいずれかに記載のワイヤレスセルラー電気通信デバイス。
【請求項４０】
前記第１のセルと第２のセルとは、異なるワイヤレス無線アクセス技術のものである、請求項２１〜３８のうちのいずれかに記載のワイヤレスセルラー電気通信デバイス。
【請求項４１】
命令がその上に記憶されているコンピュータ可読記憶媒体であって、該命令は、請求項１〜２０のうちのいずれかに記載の動作を実行するために、デバイスによって実行されることができる、媒体。
【発明の詳細な説明】
【技術分野】
【０００１】
本開示は、セルラー電気通信システムに関し、より具体的には、セルラー電気通信システムのセル上にキャンプしているモバイルデバイスにおけるセル再選択の方法に関する。
【背景技術】
【０００２】
一般的なセルラー無線システムでは、ワイヤレス電気通信デバイスが、１つ以上の無線アクセスネットワーク（ＲＡＮ）を介して１つ以上のコアネットワークと通信する。ＵＭＴＳシステムでは、そのようなデバイスは、一般的にはユーザ機器（ＵＥ）と呼ばれ、ＧＳＭ（登録商標）システムでは、そのようなデバイスは、一般的には移動局（ＭＳ）と呼ばれる。これらの用語は、同等に見なすことができる。本明細書の説明では、両方の用語が交換可能に使用されてもよいが、本開示は、主に、ＧＳＭ（登録商標）  ＥＤＧＥ無線アクセスネットワーク（ＧＥＲＡＮ）からＵＭＴＳ地上波無線アクセスネットワーク（ＵＴＲＡＮ）または進化型ＵＭＴＳ地上波無線アクセスネットワーク（ｅ−ＵＴＲＡＮ）へのセル再選択に関するため、ＭＳという用語が主に使用されることを留意されたい。しかしながら、本開示は、このタイプのセル再選択に限定されないことが明確となるであろう。
【０００３】
移動局（ＭＳ）は、とりわけ、携帯電話（セルラーまたはセル方式電話としても知られている）、ワイヤレス通信能力があるラップトップ、および携帯情報端末（ＰＤＡ）等の種々のタイプの機器を含む。これらは、携帯用、手持ち式、ポケットサイズであってもよく、または例えば、自動車に設置されてもよく、無線アクセスネットワーク（ＲＡＮ）を用いて音声またはデータ信号あるいは両方を伝達してもよい。当然ながら、ＭＳは、移動性ではなくてもよく、ある場所に固定されてもよい。この状況では、移動という用語は、単純に、デバイスの通信能力を指してもよい。
【０００４】
以下では、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ；ＧＳＭ（登録商標））、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ；ＵＭＴＳ）、ロングタームエボリューション（Ｌｏｎｇ  Ｔｅｒｍ  Ｅｖｏｌｕｔｉｏｎ；ＬＴＥ）、および特定の規格が参照される。しかしながら、本開示は、いずれの特定の移動電気通信システムまたは規格に限定されることも目的とされないことを理解されたい。
【０００５】
無線アクセスネットワーク（ＲＡＮ）は、特定のセル地域に分割された地理的地域の範囲にわたる。各セル地域は、ＵＭＴＳではノードＢまたはＬＴＥでの進化型ノードＢと呼ばれ得る、少なくとも１つの基地局によってサービス提供される。各セルは、セルでブロードキャストされる、一意的な識別子によって識別されてもよい。基地局は、セル上にキャンプしているＭＳとの無線インターフェース上で無線周波数において通信する（これらは、基地局の範囲内にあるＭＳのうちのいくつかまたは全てであってもよい）。いくつかの基地局が、基地局の種々の活動を制御する、無線ネットワークコントローラ（ＲＮＣ）に接続されてもよい。ＲＮＣは、一般的には、コアネットワークに接続される。各セルは、とりわけ、ＵＭＴＳ地上波無線アクセス（ＵＴＲＡ）等の特定の無線アクセス技術（ＲＡＴ）を実装する。ＧＥＲＡＮ（グローバルシステムフォーモバイルコミュニケーションズ（ＧＳＭ（登録商標））／ＧＳＭ（登録商標）進化型高速データレート（ＥＤＧＥ）無線アクセスネットワーク）では、無線アクセスネットワークは、任意の特定のセルについて基地局サブシステム（ＢＳＳ）の機能性をともに実装する１つ以上の基地局（ＢＴＳ）および１つ以上の基地局コントローラ（ＢＳＣ）を含んでもよい。
【０００６】
アイドル状態であるときに、ＭＳは、検出または候補セルがサービングセルよりもむしろ接続に良好に適するかどうかを識別するために、それが現在接続されている、またはキャンプしているセル（しばしばサービングセルとして知られている）以外の検出された電気通信セルの性質を評価する。アイドルモードである間にサービングセルを自律的に変更するＭＳのプロセスは、セル再選択として知られている（しかし再選択はアイドルモードまたは純粋に自律的なセル変更あるいは両方に制限されなくてもよい）。電源投入後にＭＳが最初にセル上にキャンプするプロセスは、セル選択として知られている。セル再選択の基準は、受信信号強度および信号品質等のものを含んでもよい。これらの基準と関連付けられるパラメータは、サービングセルでブロードキャストされ、または別様に伝送されてもよい。セル再選択（および選択）のための要件のうちの１つは、候補セルが好適であることであってもよい。好適性の基準は、信号強度および／または信号品質（ＭＳによって受信されるような、候補セル基地局によって伝送される信号を指す）に関係する基準を含んでもよい。好適性計算で使用される基準のうちのいくつかは、候補セルの周波数に同調した後にＭＳによって復号されなければならないパラメータに基づく。候補セルからのパラメータの復号は、ＭＳにとって電力集約型となり得る。このようにして復号された好適性パラメータに基づく定期的な評価は、バッテリ寿命が限定されているモバイルデバイスでは特に望ましくない。
【０００７】
この問題に対する既存の解決法は、ごく最近に復号された好適性基準パラメータを記憶して再利用することである。この解決策は、参照することにより本明細書に組み込まれ、本明細書で「４５．００８仕様」と呼ばれる、３ＧＰＰ  ＴＳ  ４５．００８仕様Ｖ９．４．０で概説される。４５．００８仕様の第６．６．５節、第６．６．６節、および第６．６．７節は、それぞれ、「ＧＳＭ（登録商標）からＵＴＲＡＮへのセル再選択のためのアルゴリズム」、「優先順位情報に基づくＲＡＴ間セル再選択のためのアルゴリズム」、および「ＣＳＧセルおよびハイブリッドセルへのセル選択および再選択」と題された、セル再選択プロセスを説明する。第６．６．５節で定義されるアルゴリズムは、「ランキングアルゴリズム」として表されてもよく、第６．６．６節で定義されるアルゴリズムは、「優先順位ベースのアルゴリズム」として表されてもよい。これらの用語は、本明細書の説明の全体を通して使用されてもよい。
【０００８】
既存の解決法によれば、候補セルの好適性を評価するときに、そこから好適性パラメータがごく最近復号された、セルの好適性パラメータが使用されてもよい。この解決法は、ＭＳのバッテリ使用量または長期所要電力を削減し得るが、固有の限界を持つ。具体的には、例えば、ＭＳが候補セルの好適性を軽視しやすく、したがって、再選択するべきときにセルに再選択しない。これは、例えば、候補セルの好適性パラメータが適用されているものと同じではないため、その好適性を計算するために使用されるパラメータが不正確であるためとなり得る。代替として、ＭＳは、セルを再選択のための有効セルと誤って見なし、続いて、無駄に候補セルの周波数に同調し、そのセルからパラメータを復号する場合がある。これは、広範囲の閾値パラメータが、ＭＳが潜在的に再選択し得るセルに適用可能である場合に、特に問題となり得る。これらの閾値パラメータのうちの１つ以上は、記憶されたときに、異なる値が適用可能であるネットワーク内で別のセルを誤って評価するように使用される場合がある。
【０００９】
あるシナリオ例では、オペレータは、アイドルモードにあるデバイスが、１つの周波数のセル上にキャンプし、接続モードにある、すなわち、アクティブな進行中データまたは音声通話を伴うデバイスが、異なる周波数のセル内で動作することを希望し得る。オペレータは、好適性基準を用いて、特定の周波数へのアイドルモード再選択を阻止することによって、これを達成し得る、すなわち、好適性基準は、ＭＳがこれらの基準を満たす可能性が非常に低くなるように設定される。このシナリオでは、ＭＳは、プロセスでかなりの量の電力を使用して、好適性のためにセルを一貫して評価する。加えて、ＭＳが、他のセルの好適性計算で再利用するために、これらの不正確なパラメータを記憶している場合、ＭＳは、それがキャンプするべきセル上にキャンプしない場合がある。
【００１０】
サービングセルは、優先順位ベースの再選択をサポートする場合、随意で、セル上にキャンプしているＭＳに、優先順位ベースの再選択アルゴリズムの一部としてセルの評価に使用されるパラメータの表示を伝送してもよい（ブロードキャストメッセージで伝送することを含む）。しかしながら、優先順位ベースの再選択のサポートは、非ＬＴＥ対応デバイスにとって随意的である。ＬＴＥ対応デバイスについては、優先順位ベースの再選択が使用されなければならない。優先順位ベースの再選択は、いずれのリリース７以前のデバイスでもサポートされていない。
【００１１】
加えて、例えば、セルがＧＥＲＡＮセルである場合に、優先順位ベースの再選択がサービングセルで適用可能ではない可能性がある。例えば、わずかな重複ＬＴＥ受信可能範囲がある場合に、ＬＴＥが展開されるときでさえも、オペレータが優先順位ベースの再選択をサポートするようにＧＥＲＡＮネットワークをアップグレードしない可能性は十分にある。したがって、ＬＴＥセルまたは近くのＵＴＲＡＮセルが優先順位ベースの再選択をサポートする可能性が最も高く、重複または近くのＧＳＭ（登録商標）セルはサポートしない場合がある。優先順位ベースの再選択をサポートするデバイスは、その現在のサービングセルが優先順位ベースの再選択をサポートしない場合、ランキングアルゴリズムに従った再選択を行うように依然として要求される。そのようなものとして、どのような理由であれ、優先順位ベースの再選択が適用可能ではない、上記で挙げられる実施例等のシナリオが生じる場合がある。
【００１２】
優先順位ベースの再選択が適用可能ではなく、ＭＳが以前に復号されたパラメータを記憶しているシナリオでは、ＵＭＴＳまたはＬＴＥ対応セルが利用可能であるが、ＭＳがそれを（誤って）好適であると見なさないときに、ＭＳは、適切であるよりも長くＧＳＭ（登録商標）セル上にキャンプしたままとなり得る。加えて、または代替として、セルが好適な再選択であるか否かを決定するために、アイドルモードであるときのＭＳ側で電力集約型復号および計算が必要とされてもよい。記憶された閾値が高すぎる場合、あまりにも容易に候補セルを軽視し、閾値が低すぎる場合、必要とされるべきではなかったときに復号および評価を行う。
【発明の概要】
【課題を解決するための手段】
【００１３】
本開示は、セルランキング再選択を行うときに、候補セルをどのようにして効率的かつ効果的に評価するかという問題に対処する。本開示は、候補セルを誤って軽視するリスクを回避しながら、候補セルの周波数に同調し、候補セルから好適性パラメータを復号する必要性を最小化する。
【００１４】
本願で立案される実施形態は、概して、電子デバイスにおけるセル再選択の方法に関し、具体的には、ランキングアルゴリズムに従ったセル再選択に関する。実施形態は、計算が行われるたびに候補セルの周波数に同調し、そのセルから好適性パラメータを復号する必要なく、不適切に候補セルの周波数に同調し、好適性パラメータを復号する必要があるというリスクを最小化しながら、再選択を行うときに候補セルを効率的に評価してもよい。
【００１５】
一実施形態によれば、第１のセル上にキャンプしているワイヤレスセルラー電気通信デバイスによって使用するための方法が提供され、方法は、デバイスにおいて、
優先順位ベースの再選択アルゴリズムに適用可能であり、および別のセルにも適用可能なパラメータを選択するステップと、
第２のセルから受信される信号の属性を測定するステップと、
少なくとも選択されたパラメータおよび測定された属性に基づいて、ランキングアルゴリズムに従って、再選択のために前記第２のセルを評価するステップとを含む。
【００１６】
ある実施形態では、方法はさらに、評価に基づいて、第１のセルから第２のセルへの再選択を行うステップを含んでもよい。加えて、評価は、セルが再選択要件を満たすか否かを決定するステップを含んでもよく、第２のセルは、測定された属性が、所定量だけ選択されたパラメータを超えられなかった場合、再選択要件を満たさないと決定される。所定量は、ゼロであってもよい。代替として、所定量は、１０デシベル（ｄＢ）であってもよい。
【００１７】
ある実施形態では、優先順位ベースの再選択アルゴリズムに適用可能であり、および別のセルにも適用可能なパラメータを選択するステップは、第１のセル内で受信されるシステム情報からパラメータを復号するステップを含んでもよい。いくつかの実施形態では、優先順位ベースの再選択アルゴリズムに適用可能であり、および別のセルにも適用可能なパラメータを選択するステップは、デバイス上のデータ記憶からパラメータを取り出すステップを含んでもよく、パラメータは、デバイスが以前に第３のセル上にキャンプしていたときにデバイスによって記憶された。さらに、デバイスは、どのようにして該パラメータが得られたかという記憶された表示を有してもよい。
【００１８】
ある実施形態では、パラメータは、１つ以上の特定の周波数と関連付けられてもよく、１つ以上の特定の周波数において動作するセルのみに適用可能であってもよい。さらに、パラメータは、特定の周波数と関連付けられてもよく、その周波数において動作するセルのみに適用可能であってもよい。
【００１９】
ある実施形態では、方法はさらに、デバイスが、優先順位ベースの再選択アルゴリズムに適用可能であり、および別のセルにも適用可能なパラメータを決定できなかった場合、少なくとも測定された属性、およびセルのシステム情報ブロックから得られる第１の記憶された好適性パラメータに基づいて、第２のセルを評価するステップを含んでもよい。加えて、第１の記憶された好適性パラメータは、第２のセルが動作する周波数と関連付けられる。
【００２０】
ある実施形態では、方法はさらに、第１の記憶された好適性パラメータが利用可能ではない場合、少なくとも測定された属性、およびワイヤレス無線ネットワークのセルのシステム情報ブロックから得られる第２の記憶された好適性パラメータに基づいて、第２のセルを評価するステップを含んでもよく、第２の記憶された好適性パラメータは、第２のセルが動作しない周波数と関連付けられる。
【００２１】
ある実施形態では、第１のセルは、ＧＳＭ（登録商標）  ＥＤＧＥ無線アクセスネットワーク（ＧＥＲＡＮ）のセルである。パラメータは、随意で、最小必要な受信レベルを示してもよい。さらに、測定された属性はまた、受信信号コード電力（ＲＳＣＰ）であってもよい。ある実施形態では、第１および第２のセルは、同じワイヤレス無線ネットワークのものであってもよい。代替として、第１および第２のセルは、異なるワイヤレス無線ネットワークのものであってもよい。ある実施形態では、第１および第２のセルは、同じワイヤレス無線アクセス技術のものであってもよい。代替として、第１および第２のセルは、異なるワイヤレス無線アクセス技術のものであってもよい。
【００２２】
一実施形態によれば、第１のセル上にキャンプしているワイヤレスセルラー電気通信デバイスが提供され、デバイスは、使用中に、
優先順位ベースの再選択アルゴリズムに適用可能であり、および別のセルにも適用可能なパラメータを選択すること、
第２のセルから受信される信号の属性を測定すること、
少なくとも選択されたパラメータおよび測定された属性に基づいて、ランキングアルゴリズムに従って、再選択のために前記第２のセルを評価すること
を行うように適合される。
【００２３】
ある実施形態では、デバイスはさらに、評価に基づいて、第１のセルから第２のセルへの再選択を行うように適合されてもよい。加えて、評価は、セルが再選択に好適であるか否かを決定するステップを含んでもよく、第２のセルは、測定された属性が、所定量だけパラメータを超えられなかった場合、好適ではないと決定される。所定量は、ゼロであってもよい。代替として、所定量は、１０デシベル（ｄＢ）であってもよい。
【００２４】
ある実施形態では、優先順位ベースの再選択アルゴリズムに適用可能であり、および別のセルにも適用可能なパラメータを選択するステップは、第１のセル内で受信されるシステム情報からパラメータを復号するステップを含んでもよい。いくつかの実施形態では、優先順位ベースの再選択アルゴリズムに適用可能であり、および別のセルにも適用可能なパラメータを選択するステップは、デバイス上のデータ記憶からパラメータを取り出すステップを含んでもよく、パラメータは、デバイスが以前に第３のセル上にキャンプしていたときにデバイスによって記憶された。さらに、デバイスは、どのように該パラメータが得られたかについての記憶された表示を有してもよい。
【００２５】
ある実施形態では、パラメータは、１つ以上の特定の周波数において動作するセルのみに適用可能であってもよい。さらに、パラメータは、特定の周波数と関連付けられてもよく、その周波数において動作するセルのみに適用可能である。
【００２６】
ある実施形態では、デバイスが、優先順位ベースの再選択アルゴリズムに適用可能であり、および別のセルにも適用可能なパラメータを決定できなかった場合、デバイスはさらに、少なくとも測定された属性、およびセルのシステム情報ブロックから得られる第１の記憶された好適性パラメータに基づいて、第２のセルを評価するように適合されてもよい。加えて、第１の記憶された好適性パラメータは、第２のセルが動作する周波数と関連付けられる。
【００２７】
ある実施形態では、第１の記憶された好適性パラメータが利用可能ではない場合、デバイスはさらに、少なくとも測定された属性、およびワイヤレス無線ネットワークのセルのシステム情報ブロックから得られる第２の記憶された好適性パラメータに基づいて、第２のセルを評価するように適合されてもよく、第２の記憶された好適性パラメータは、第２のセルが動作しない周波数と関連付けられる。
【００２８】
一実施形態によれば、本明細書で説明される実施形態のうちのいずれかの動作を実行するようにデバイスによって実行することができる、命令をその上に記憶している、コンピュータ可読記憶媒体が提供されてもよい。
【００２９】
本教示の他の側面および特徴は、以下の具体的実施形態の説明を再検討すると、当業者に明白となるであろう。
【００３０】
ここで、添付図面を参照して、本開示の実施例を詳細に説明する。
【図面の簡単な説明】
【００３１】
【図１】図１は、本発明の第１の実施形態を実装するために好適な概略システムを示す。
【図２】図２は、セル再選択のための既知のランキングアルゴリズムのフロー図を示す。
【図３−１】図３は、セル再選択を行うときに好適性パラメータを記憶する既知の方法のフロー図を示す。
【図３−２】図３は、セル再選択を行うときに好適性パラメータを記憶する既知の方法のフロー図を示す。
【図４】図４は、本開示の実施例を図示するフローチャートを示す。
【図５】図５は、本開示のさらなる実施例を図示するフローチャートを示す。
【図６】図６は、本開示の具体的実施例を図示するプロセスを示す。
【図７】図７は、本開示のさらなる具体的実施例を図示するプロセスを示す。
【発明を実施するための形態】
【００３２】
異なる図で使用される同じ数字は、同様の要素を表す。
【００３３】
ＧＳＭ（登録商標）／ＥＤＧＥ（ＧＳＭ（登録商標）／ＥＤＧＥ無線アクセスネットワーク、ＧＥＲＡＮ）、ＵＭＴＳ（ＵＭＴＳ地上波無線アクセスネットワーク、ＵＴＲＡＮ）、またはＬＴＥ（進化型ＵＭＴＳ地上波無線アクセスネットワーク、ｅ−ＵＴＲＡＮ）タイプの無線アクセスネットワークは、一般的には、地理的地域の範囲にわたる複数のセルを含み、そのそれぞれは、異なる無線アクセス技術（ＲＡＴ）を実装してもよい。上記で説明されるように、サービングセルとして知られているセルにいったん接続された移動局（ＭＳ）は、候補セルとして知られている他の検出されたセルを評価して、それらがサービングセルよりも接続に好適となるかどうかを決定してもよい。セルに接続されたときに、ＭＳは、セル上にキャンプしていると呼ばれる。本明細書での説明では、ＭＳは、「セル内にある」、「セル上にキャンプしている」、または「サービングセル」と呼ばれてもよい。これらの用語は、交換可能に使用されてもよく、ＭＳがダウンリンクデータのために呼び出されることを定義してもよい。本明細書の説明は、２Ｇおよび３Ｇを指してもよい。２ＧはＧＳＭ（登録商標）を指してもよく、３ＧはＵＭＴＳまたはＬＴＥネットワークを指してもよく、該用語は交換可能に使用されてもよい。
【００３４】
本明細書の説明の全体を通して使用される、「ランキングアルゴリズム」および「優先順位ベースの再選択アルゴリズム」という用語によって、以下を意味する。
【００３５】
ランキングアルゴリズムでは、セルの無線測定（おそらくオフセットおよび／または倍率によって修正され、かつおそらく最小閾値の対象となる）が比較され、再選択は、概して、そのようにして最高ランク付けされたセルに行われる。ランキングアルゴリズムでは、異なる周波数上のセル、または異なる無線アクセス技術を使用するセルが、直接比較され、したがって、相互に対してランク付けされてもよい。無線測定（または例えば、受信セル信号品質または電力に基づく導出値）は、候補セルの比較の主要基礎である。ランキングアルゴリズムの実施例が図２に示されている。
【００３６】
優先順位ベースの再選択アルゴリズムでは、セル（一般的には、それらの動作周波数および／または無線アクセスに従ってグループ化される）は、優先順位を割り当てられる。これらの優先順位は、該当する場合、どのセルにデバイスが再選択するべきかを決定するときに、セルが考慮される一次手段である（隣接セルの無線測定が二次検討事項である）。（優先順位レベルに加えて、サービングセルの測定等に基づいて、他の考慮が行われてもよいことに留意されたい。）現在の３ＧＰＰ優先順位ベースの再選択に従って、優先順位は、周波数ごとの基準で（すなわち、同じ無線アクセス技術および同じ搬送波周波数を使用して動作する全てのセルが同じ優先順位を割り当てられるように）、または（ＧＳＭ（登録商標）セルの場合）無線アクセス技術ごとに割り当てられる（異なる搬送波周波数で動作するＧＳＭ（登録商標）ベースの技術に従って動作するセルは、同じ優先順位を割り当てられてもよい）。具体的には、異なる優先順位のセルの無線測定は、相互に比較される必要がない（しかし、無線測定は、それぞれの優先順位にかかわらず、最小キャンピング／サービス基準を満たすか否かをチェックするため、または測定閾値に対してそれを評価するために、任意のセルで使用されてもよい）。例えば、１つの優先順位のセルが、より低い優先順位のセルのいずれの無線測定も考慮することなく、全ての適用可能な再選択基準を満たすと決定することができる。
【００３７】
図１は、ネットワークシステムの概略図を示す。一般的には、各無線アクセスネットワーク（ＲＡＮ）は、ワイヤレス通信デバイス、ＭＳ１１０、および残りの無線アクセスネットワークとの間に無線リンクを提供するように、無線アクセスデバイス１０６を含む。これらの無線アクセスデバイス１０６は、ＧＳＭ（登録商標）では基地局およびＵＭＴＳではノードＢとして知られている。ＬＴＥ内のＲＡＮは、ｅ−ノードＢのみを備える。ＧＳＭ（登録商標）およびＵＭＴＳでは、ＲＡＮはまた、無線ネットワークコントローラ（ＲＮＣ）または基地局コントローラ（ＢＳＣ）、１０２、１０４と、基地局とを備え、ＲＮＣおよびＢＳＣは、１つ以上のコアネットワーク（一般的には、パケット交換サービスに対して少なくとも１つ、および回路交換サービスに対して１つ）に接続される。たとえ物理的に同一場所に、または同じユニット内にあり得るとしても、ＲＮＣは、３Ｇ基地局（ノードＢ）に接続し、ＢＳＣは、２Ｇ基地局に接続する（その場合、組み合わせられたＢＳＣおよび基地局が、基地局サブシステム（ＢＳＳ）の機能性を果たす）。コアネットワーク（図示せず）は、公衆陸上移動ネットワーク（ＰＬＭＮ）１００と関連付けられ、単一のＲＡＮが、複数のＰＬＭＮのコアネットワーク（図示せず）に接続することが可能である。
【００３８】
各ＵＭＴＳセルは、周波数および一次スクランブリングコードによって一意的に識別される。概して、セルは、基地局、ノードＢ、ｅノードＢ、または同様のエンティティによって地理的地域上でブロードキャストされるセル識別子からＭＳ１１０によって一意的に識別することができる、無線ネットワークオブジェクトを指す。単一の物理ノードＢは、複数の周波数で、または複数のスクランブリングコードを用いて、あるいは両方で動作してもよいため、１つよりも多くのセルを生成してもよい。候補セルは、最終的に、サービングセルと同じＰＬＭＮに接続されてもよい。
【００３９】
図２は、ランキングアルゴリズムに従ったセル再選択プロシージャ中にＭＳによって行われる、既知のプロセスを図示するフロー図を示す。図２を参照すると、プロセスはステップ２０１から始まる。ステップ２０２では、セル測定、例えば、周波数内、周波数間、およびＲＡＴ間セル測定が、ＭＳによって生成または受信される。ステップ２０３では、ランク値が各セルに対して計算される。一実施例では、これらのセルは、サービングセルおよび隣接セルである。セルランキング基準Ｒの形態でランク値を計算するために使用可能な計算の一実施例は、参照することにより本明細書に組み込まれ、本明細書では２５．３０４仕様と呼ばれる、３ＧＰＰ  ＴＳ  ２５．３０４仕様、Ｖ８．１．０の第５．２．６．１．４節「アイドルモードでのユーザ機器（ＵＥ）プロシージャおよび接続モードでのセル再選択のためのプロシージャ」で説明されている（その節でのＲ、サービングセルおよびＲ、隣接セルの計算を参照）。その実施例では、ランク値は、２５．３０４仕様の第５．２．６．１．４節で設定された条件を満たす場合に、セルに対して計算される。
【００４０】
ステップ２０４では、セルがランク値に基づいて順序付けられる。一実施例では、サービングセルよりも良いランク値を有するセルのみが考慮され、これらはリストにコンパイルされる。ステップ２０５では、結果として生じるセルランキングリストが作成される。ステップ２０６では、サービングセルが最良である（すなわち、最高ランク値を有する）ことをＭＳが見出した場合には、ＭＳはサービングセル上にキャンプしたままであり、プロセスはステップ２０２に戻る。
【００４１】
ステップ２０６で、サービングセルが最良ではない（すなわち、最高ランク値を持たない）ことをＭＳが見出した場合には、ステップ２０７で、ＭＳが最高ランク値を伴う隣接セルに再選択しようとする。この目的を達成するために、２０８で、チャネル（一実施例では、一次共通制御物理チャネル（ＰＣＣＰＣＨ））が設定され、２０９で、システム情報（一実施例では、マスタ情報ブロック（ＭＩＢ）およびシステム情報ブロック（ＳＩＢ）の形態である）が隣接セルから読み出され、２１０で、セルが好適なセルであるというチェックが行われる。好適なセルは、ＭＳがキャンプしてもよいセルであり、実施例は、許容信号強度を有する、および／または禁止位置地域内にない、および／または禁じられていない、および／または自動検索について正しい公衆陸上移動ネットワーク（ＰＬＭＮ）に属するセルを含む。セルが好適である場合、ＵＥは２１１で隣接セル上にキャンプする。セルが好適なセルではない場合、プロセスは２０２に戻る。プロセスは２１２で終了する。
【００４２】
上述のように、図２で示されるプロセスは、セルからのシステム情報、したがって、選択のためのセルの好適性を決定するために、候補セル上にチャネルが設定されることを要求する。これは、ＭＳにとって特に電力集約型であり、時間がかかる。サービングセルがＧＥＲＡＮセルである場合には、しばしば、ランキング計算の結果として、ランキングリストの中の隣接セルより下になる可能性が高い。その結果として、ＭＳは、好適性について隣接セルを繰り返しチェックし、したがって、システム情報を復号するように、これらのセル上でチャネルを設定し得る。
【００４３】
隣接セルから受信されるシステム情報は、そのセルが好適であるとＭＳが決定する可能性が低くなるように、好適性のパラメータを含有する場合があり得る。パラメータは、セルがそのセル上にキャンプし得るように、ネットワークオペレータによって設定される場合がある。このシナリオでは、ＭＳは、プロセスで大量かつ不必要な電力を使用して、セル上にチャネルを繰り返し設定する。
【００４４】
あるシナリオ例では、オペレータは、アイドルモードにあるデバイスが、１つの周波数のセル上にキャンプし、接続モードにある、すなわち、アクティブな進行中データまたは音声通話を有するデバイスが、異なる周波数のセル内で動作することを希望し得る。オペレータは、好適性基準を用いて、特定の周波数へのアイドルモード再選択を阻止することによって、これを達成しようとし得る、すなわち、好適性基準は、ＭＳがこれらの基準を満たす可能性が非常に低くなるように設定される。上記のシナリオでは、ＭＳは、プロセスでかなりの量の電力を使用して、好適性のためにそのようなセルを一貫して評価する。
【００４５】
ＭＳの所要電力を削減するために、以前に復号された好適性パラメータを記憶してもよいことが以前に提案されている。好適性基準の記憶を必要とするための理由は、（そうでなければ、そのセルに適用可能な好適性基準を決定するために読み出される必要がある）候補セルのＳＩＢを最初に読み出す必要なく、これらの基準を使用して、ＭＳが候補セルを評価することを可能にすることである。多くの場合、セルは、基準を満たさず、このセルのさらなる評価は必要とされず、したがって、これらの基準を満たさないセルからＳＩＢが読み出される必要がないため、以前の試行からの基準を記憶することは、バッテリ消費を有意に削減することができる。
【００４６】
しかしながら、ネットワークが上記で説明されるように構成される場合、具体的には、記憶されたパラメータが、アイドルモード再選択が制限されることを目的としているセル、すなわち、達成不可能（またはほとんど達成可能ではない）パラメータを伴うセルと関連付けられる（すなわち、セルから復号される）場合に、そのような記憶が問題を引き起こし得る。記憶された好適性基準が満たされる可能性が低いため、ＭＳは、再選択を試行しない（ＭＳは、標的セルのシステム情報を読み出すことなく、したがって、実際に、好適性基準がこのセルに対して満たされることを決定することができず、この段階で再選択を放棄してもよいことに留意されたい）。ある状況では、ＭＳは、ＵＭＴＳセルがより適切となる場合に意図されるよりも長く、ＧＳＭ（登録商標）セル上にキャンプしたままとなり得る。
【００４７】
図３は、記憶されたパラメータを使用する、セル再選択の既知のプロセスを図示する。適用可能なアルゴリズムは、４５．００８仕様で概説されている。具体的には、それぞれ「ＧＳＭ（登録商標）からＵＴＲＡＮへのセル再選択のためのアルゴリズム」、「優先順位情報に基づくＲＡＴ間セル再選択のためのアルゴリズム」、および「ＣＳＧセルおよびハイブリッドセルへのセル選択および再選択」と題された、４５．００８仕様の第６．６．５節、第６．６．６節、および第６．６．７節である。
【００４８】
図示されたプロセスは、ＭＳがサービングセル上にキャンプしている、ステップ３０２から始まる。使用される構成およびアルゴリズムに応じて、隣接セルがサービングセルから受信され（ステップ３０４）、再選択パラメータがそのリストから復号される（ステップ３０６）。次いで、ＭＳは、候補セルを識別し、測定を行う（ステップ３０８）。これらは、とりわけ、信号強度および信号品質を含んでもよい。次に、ステップ３１０で、ＭＳは、候補セルが再選択基準を満たすか否かを決定する。この試験は、サービングセル内で受信されるパラメータから導出することができる基準に限定されてもよい。場合によっては、サービングセル内でブロードキャストされるパラメータ、およびそれが記憶された好適性パラメータを有するか否かに応じて、ＭＳは、記憶された好適性パラメータに基づいて候補セルを評価することを省略してもよい。候補セルが再選択基準を満たさない場合、セルが容認可能ではないため、プロセスが再開する（ステップ３１２）。
【００４９】
ステップ３１２から３１４の間（図示せず）で、サービングセルが、再選択アルゴリズム内で「好適性試験」の代わりに使用される受信信号コード電力（ＲＳＣＰ）パラメータを伝送する場合には、候補セルは、それが記憶された好適性パラメータを有するか否かにかかわらず、これらに対して評価される。この試験が終了して合格した場合（図示せず）、プロセスはステップ３１８へ進む。
【００５０】
候補セルが容認可能である場合、ＭＳは、以前の試行からの記憶された好適性パラメータを有するかどうかをチェックする（ステップ３１４）。もしそうであれば、候補セルは、これらの記憶されたパラメータに基づいて好適性基準を満たすか否かを決定するように評価される（ステップ３１６）。候補セルが好適性基準を満たさない場合、セルは容認不可能と見なされ、プロセスが再開される（ステップ３１２）。セルが記憶されたパラメータに基づいて好適性基準を満たす場合には、ＭＳは、セル上にチャネルを設定し、候補セルからシステム情報を取得する（ステップ３１８）。同様に、ＭＳが以前の試行からの記憶された好適性パラメータを持たない場合、ＭＳは、セル上にチャネルを設定し、候補セルからシステム情報を取得する（ステップ３１８）。
【００５１】
次いで、セルの好適性が、システム情報の中のパラメータを使用して評価される（ステップ３２０）。候補セルが好適性基準を満たす場合、ＭＳはセル上にキャンプする（ステップ３２４）。候補セルが好適性要件を満たさない場合、セルは容認可能ではないと見なされ（ステップ３１２）、ＭＳはサービングセル上にキャンプしたままである。
【００５２】
第６．６．５節「ＧＳＭ（登録商標）からＵＴＲＡＮへのセル再選択のためのアルゴリズム」は、上記で説明され、ランキングアルゴリズムに基づく再選択好適性を決定するためのアルゴリズムを概説する。ランキングアルゴリズムは、優先順位ベースの再選択が、例えば、ネットワーク構成またはデバイス能力によるものではない場合に使用される。一般的には、優先順位ベースの再選択が好ましい。例えば、ＬＴＥに対応できるデバイスは、優先順位ベースの再選択をサポートしなければならない。ランキングアルゴリズムでは、ＧＥＲＡＮからＵＴＲＡＮへの再選択のための１つの基準は、ＣＰＩＣＨ  ＲＳＣＰベースの基準と呼ばれてもよい。ＣＰＩＣＨは共通パイロットチャネルを表し、ＲＳＣＰは受信信号コード電力を表す。参考までに、４５．００８仕様の第６．６．５節で定義されるアルゴリズムの抜粋は、以下の通りであり、ＦＤＤは周波数分割双方向を表し、ＭＳは移動局を表す。
【００５３】
「３Ｇセル再選択リストがＵＴＲＡＮ周波数を含む場合、ＭＳは、少なくとも５秒毎にサービングセルに対する値ＲＬＡ＿Ｃ、および少なくとも６つの最強非サービングＧＳＭ（登録商標）セルの各々を更新するべきである。
次いで、ＭＳは、以下の場合に、好適な（ＴＳ  ２５．３０４参照）ＵＴＲＡＮセルを再選択するべきである：
−ＴＤＤセルについて、測定されたＲＳＣＰ値がＲＬＡ＿Ｃの値を超える
−サービングセルおよび好適な（３ＧＰＰ  ＴＳ  ０３．２２参照）非サービングＧＳＭ（登録商標）セルの全てについて、５秒の期間にわたって値ＸＸＸ＿Ｑｏｆｆｓｅｔだけ超える
−ＦＤＤセルについて、以下の基準が５秒の期間にわたって全て満たされる
１．その測定されたＲＳＣＰ値が、サービングセルのＲＬＡ＿Ｃの値および好適な（３ＧＰＰ  ＴＳ  ０３．２２参照）非サービングＧＳＭ（登録商標）セルの全てを値ＸＸＸ＿Ｑｏｆｆｓｅｔだけ超える
２．その測定されたＥｃ／Ｎｏ値が値ＦＤＤ＿Ｑｍｉｎ以上である、および
３．ＭＳによってサポートされる場合、その測定されたＲＳＣＰ値がＦＤＤ＿ＲＳＣＰ＿ｔｈｒｅｓｈｏｌｄ以上である。
【００５４】
１５秒以内の以前に発生するセル再選択の場合、ＸＸＸ＿Ｑｏｆｆｓｅｔは、以下の場合に５ｄＢだけ増加させられる
−ＦＤＤ＿ＲＳＣＰ＿ｔｈｒｅｓｈｏｌｄは、これらのパラメータが利用可能であれば、Ｑｒｘｌｅｖｍｉｎ＋Ｐｃｏｍｐｅｎｓａｔｉｏｎ＋１０ｄＢに等しい、そうでなければ−∞である（基準が有効ではない）
−ＱｒｘｌｅｖｍｉｎはＵＴＲＡＮ  ＦＤＤセル内の最小必要ＲＸレベル（ｄＢｍ）である（３ＧＰＰ  ＴＳ  ２５．３０４参照）
−Ｐｃｏｍｐｅｎｓａｔｉｏｎはｍａｘ（ＵＥ＿ＴＸＰＷＲ＿ＭＡＸ＿ＲＡＣＨ-Ｐ＿ＭＡＸ，０）（ｄＢ）である（３ＧＰＰ  ＴＳ  ２５．３０４参照）
−ＵＥ＿ＴＸＰＷＲ＿ＭＡＸ＿ＲＡＣＨは、ＲＡＣＨ上のＵＴＲＡＮ  ＦＤＤセルにアクセスするときにＭＳが使用してもよい最大ＴＸ電力レベル（ｄＢｍ）である（３ＧＰＰ  ＴＳ  ２５．３０４参照）
−Ｐ＿ＭＡＸはＵＴＲＡＮ  ＦＤＤモードでのＭＳの最大ＲＦ出力電力（ｄＢｍ）である（３ＧＰＰ  ＴＳ  ２５．３０４参照）
−ＦＤＤ＿ＱｍｉｎおよびＸＸＸ＿ＱｏｆｆｓｅｔはサービングセルのＢＣＣＨ上でブロードキャストされる。ＸＸＸは、他の無線アクセス技術／モードを示す。
【００５５】
注記：ＵＴＲＡＮセルが好適であるか否かを決定するために必要とされるパラメータは、ＵＴＲＡＮセルのＢＣＣＨ上でブロードキャストされる。ＭＳは、ＵＴＲＡＮセルのＢＣＣＨを復号する前に、ＵＴＲＡＮセルに向かった再選択を開始してもよく、ＵＴＲＡＮセルが好適ではない場合にサービスの短い中断につながる。
【００５６】
ＭＳは、同等のＰＬＭＮのＵＴＲＡＮ  ＦＤＤセルから復号されるときはいつでも、上記のＵＴＲＡＮセルＲＳＣＰ好適性基準パラメータを記憶してもよい。ごく最近復号されたパラメータは、全てのＵＴＲＡＮ  ＦＤＤセルに向かった有効再選択基準である。このパラメータのリストは、ＰＬＭＮ選択後に消去されてもよい（３ＧＰＰ  ＴＳ  ２３．１２２参照）。
【００５７】
上記のアルゴリズムにおける好適の定義は、セル選択基準が満たされることを要求することに留意されたい。ＵＭＴＳセルに対するこれらの基準は、３ＧＰＰ  ＴＳ  ２５．３０４仕様、第５．２．３．１．２項で定義されている。参照される好適性パラメータは、ＱｒｘｌｅｖｍｉｎおよびＰｃｏｍｐｅｎｓａｔｉｏｎ（ＵＥ＿ＴＸＰＷＲ＿ＭＡＸ＿ＲＡＣＨに依存する）である。
【００５８】
仕様の以降のリリースについては、上記の項目３の中の「ＭＳによってサポートされる場合」という語句が除去され、仕様の以降のリリースに従う移動局にとって、この検討事項を強制的にした。
【００５９】
ＦＤＤ＿ＲＳＣＰ＿ｔｈｒｅｓｈｏｌｄの定義もまた、以下のように読めるように以前に修正されている：
−「ＦＤＤ＿ＲＳＣＰ＿ｔｈｒｅｓｈｏｌｄは、ＦＤＤ＿ＲＳＣＰｍｉｎがサービングセル上でブロードキャストされる場合、ＦＤＤ＿ＲＳＣＰｍｉｎ-ｍｉｎ（（Ｐ＿ＭＡＸ-２１ｄＢｍ），６３ｄＢ）に等しく、それ以外の場合、これらのパラメータが利用可能である場合、Ｑｒｘｌｅｖｍｉｎ＋Ｐｃｏｍｐｅｎｓａｔｉｏｎ＋１０ｄＢであり、そうでなければＦＤＤ＿ＲＳＣＰｍｉｎのデフォルト値である。」
加えて、アルゴリズムの「ＭＳが記憶してもよい」で始まる段落は、以下のように読まれるように更新された：
「ＭＳは、ＵＴＲＡＮ  ＦＤＤセル上にキャンプしようとしながら、同等のＰＬＭＮのＵＴＲＡＮ  ＦＤＤセルから復号されるときはいつでも、上記のＵＴＲＡＮセルＲＳＣＰ好適性基準パラメータを記憶するべきである。同等のＰＬＭＮの１つのＵＴＲＡＮ  ＦＤＤセルからのごく最近復号されたパラメータは、全てのＵＴＲＡＮ  ＦＤＤセルに向かった有効再選択基準である。このパラメータのリストは、ＰＬＭＮ選択後に消去されるべきである（３ＧＰＰ  ＴＳ  ２３．１２２参照）」。
【００６０】
この変更は、以下の理由で行われた。
【００６１】
「ＦＤＤ＿ＲＳＣＰｍｉｎパラメータがＧＳＭ（登録商標）サービングセルのブロードキャストにおいて提供されない場合、ＦＤＤ＿ＲＳＣＰ＿ｔｈｒｅｓｈｏｌｄは、ＵＴＲＡＮセルのブロードキャスト情報から導出される。これらのパラメータは、各ＵＴＲＡＮセルに対して異なり得る。
【００６２】
どのＵＴＲＡＮセルから、いつＭＳがこれらのパラメータを読み出すべきか、およびいつそれらが再読されるべきかは不明確である。さらに、１つのＵＴＲＡＮセルのパラメータセットが、全てのセルに向かう再選択、またはパラメータが読み出されたＵＴＲＡＮセルのみに向かう再選択に有効であるか否かは不明確である。」
この仕様への変更が行われたときに、概要が以下のように挙げられた。
【００６３】
「ＭＳは、同等のＰＬＭＮのＵＴＲＡＮ  ＦＤＤセル上にキャンプしようとするときにパラメータセットをリフレッシュするべきであり、したがって、ＧＳＭ（登録商標）セル上にキャンプしている間に、ＵＴＲＡＮ隣接セルからこのパラメータを読み出すように要求されないことが明確にされている。
【００６４】
さらに、ＵＴＲＡＮセルから受信されるパラメータは、全てのＵＴＲＡＮ  ＦＤＤセルに向かった有効な再選択基準であることが明確にされている。」
前述のように、好適性基準の記憶を必要とする理由は、最初に候補セルのシステム情報ブロック（ＳＩＢ）を読み出す必要なく（そうでなければ、そのセルに適用可能な好適性基準を決定するために読み出される必要がある）、これらの基準を使用して、ＭＳが候補セルを評価することを可能にするためである。多くの場合、セルは、基準を満たさず、このセルのさらなる評価は必要とされない。したがって、以前の試行からの基準を記憶することは、これらの基準を満たさないセルからＳＩＢが読み出される必要がないため、バッテリ消費を有意に削減することができる。
【００６５】
優先順位ベースの再選択が適用されないときのみ、第６．６．５節が適用されることが上記で記述された。具体的には、第６．６．５節は、「この項でのアルゴリズムは、優先順位情報に基づくセル再選択アルゴリズム（第６．６．６項参照）の使用のための条件が満たされない場合に、ＧＳＭ（登録商標）からＵＴＲＡＮへの再選択に使用されるべきである」と述べている。第６．６．６節「優先順位情報に基づくＲＡＴ間セル再選択のためのアルゴリズム」は、優先順位ベースの再選択基準が、特定の優先順位を有するものとして（同じ周波数上にあり、同じＲＡＴを使用する）一式のセルをオペレータが構成することを可能にし、異なる優先順位を異なるＲＡＴまたは周波数あるいは両方に割り当てることができると定義する。同じＲＡＴの複数の周波数が、優先順位レベルを共有してもよい。２つの周波数は、異なるＲＡＴに使用される場合、優先順位レベルを共有することができない。第６．６．５節で定義され、上記で論議されるアルゴリズムと同様に、標的または候補セルが、２５．３０４仕様で定義され、上記で説明されるように好適であるという要件がある。参考までに、４５．００８仕様の第６．６．６節で定義されるアルゴリズムの抜粋は、以下の通りである。
【００６６】
「次いで、ＭＳは、以下の基準が満たされる場合、別の無線アクセス技術の好適な（ＵＴＲＡＮについては３ＧＰＰ  ＴＳ  ２５．３０４およびＥ−ＵＴＲＡＮについては３ＧＰＰ  ＴＳ  ３６．３０４を参照）セルを再選択するべきである。Ｓ＿ｎｏｎ−ｓｅｒｖｉｎｇ＿ＸＸＸは、非サービングＲＡＴ間セルの測定品質であり、ＸＸＸは、他の無線アクセス技術／モードを示し、以下のように定義される：
−ＵＴＲＡＮセルについて、セルの周波数に対するＵＴＲＡＮ＿Ｑｒｘｌｅｖｍｉｎを引いたセルの測定されたＲＳＣＰ値である
−Ｅ−ＵＴＲＡＮセルについて、ＴＨＲＥＳＨ＿Ｅ−ＵＴＲＡＮ＿ｈｉｇｈ＿Ｑが提供されない場合、セルの周波数に対するＥ  ＵＴＲＡＮ＿Ｑｒｘｌｅｖｍｉｎを引いたセルの測定されたＲＳＲＰ値であり、そうでなければ、ＴＨＲＥＳＨ＿Ｅ−ＵＴＲＡＮ＿ｈｉｇｈ＿Ｑが提供される場合、セルの周波数に対するＥ−ＵＴＲＡＮ＿ＱＱＵＡＬＭＩＮを引いたセルの測定されたＲＳＲＱ値である
（．．．）。
【００６７】
別のＲＡＴ間周波数のセルへのセル再選択は、（示される順序で評価される）以下の条件のうちのいずれかが満たされる場合に行われるべきである：
−より高い優先順位のＲＡＴ間周波数の１つ以上のセルのＳ＿ｎｏｎ−ｓｅｒｖｉｎｇ＿ＸＸＸが、時間間隔Ｔ＿ｒｅ−ｓｅｌｅｃｔｉｏｎの間にＴＨＲＥＳＨ＿ＸＸＸ＿ｈｉｇｈ（またはＥ−ＵＴＲＡＮ標的の場合、提供されるならばＴＨＲＥＳＨ＿Ｅ−ＵＴＲＡＮ＿ｈｉｇｈ＿Ｑ）よりも大きい；その場合、移動局は、優先順位の高いものから順に再選択するためにセルを考慮し、およびＳ＿ｎｏｎ−ｓｅｒｖｉｎｇ＿ＸＸＸの高いものから順に、同じＲＡＴ間周波数または同等優先順位のＲＡＴ間周波数のセルを考慮し、上記の条件を満たす第１のセルを再選択するべきである
−Ｓ＿ＧＳＭ（登録商標）の値が、時間間隔Ｔ＿ｒｅ−ｓｅｌｅｃｔｉｏｎの間にサービングセルおよび全ての測定されたＧＳＭ（登録商標）セルに対するＴＨＲＥＳＨ＿ＧＳＭ（登録商標）＿ｌｏｗよりも低い；この場合、移動局は、以下の順序でＲＡＴ間セルを再選択のために考慮し、以下の基準を満たす第１のセルを再選択するべきである
−Ｓ＿ｎｏｎ−ｓｅｒｖｉｎｇ＿ＸＸＸが時間間隔Ｔ＿ｒｅ−ｓｅｌｅｃｔｉｏｎの間にＴＨＲＥＳＨ＿ＸＸＸ＿ｌｏｗ（またはＥ−ＵＴＲＡＮ標的の場合、提供されるならばＴＨＲＥＳＨ＿Ｅ  ＵＴＲＡＮ＿ｌｏｗ＿Ｑ）よりも大きい、より低い優先順位のＲＡＴ間周波数のセル；これらのセルは、優先順位の高いものから順に考慮され、同じＲＡＴのセルについては、Ｓ＿ｎｏｎ−ｓｅｒｖｉｎｇ＿ＸＸＸの高いものから順に考慮されるべきである
−いずれのセルも上記の基準を満たさない場合、時間間隔Ｔ＿ｒｅ−ｓｅｌｅｃｔｉｏｎの間に、Ｓ＿ｎｏｎ−ｓｅｒｖｉｎｇ＿ＸＸＸが少なくとも特定のヒステリシスＨ＿ＰＲＩＯだけサービングセルのＳ＿ＧＳＭ（登録商標）よりも高い、ＲＡＴ間セル；これらのセルは、Ｓ＿ｎｏｎ−ｓｅｒｖｉｎｇ＿ＸＸＸの高いものから順に考慮されるべきである。
【００６８】
ＵＴＲＡＮ  ＦＤＤセルは、上記の基準に加えて、その測定されたＥｃ／Ｎｏ値がＦＤＤ＿Ｑｍｉｎ−ＦＤＤ＿Ｑｍｉｎ＿Ｏｆｆｓｅｔ以上である場合のみ選択されるべきである。
【００６９】
Ｅ−ＵＴＲＡＮ＿ＱｍｉｎがＥ−ＵＴＲＡＮ周波数に対して提供される場合、その周波数上のＥ−ＵＴＲＡＮセルは、上記の基準に加えて、その測定されたＲＳＲＱ値がＥ−ＵＴＲＡＮ＿Ｑｍｉｎ以上である場合のみ選択されるべきである。
【００７０】
ＴＨＲＥＳＨ＿Ｅ−ＵＴＲＡＮ＿ｈｉｇｈ＿ＱがＥ−ＵＴＲＡＮ周波数に対して提供される場合、およびＥ−ＵＴＲＡＮ＿ＲＳＲＰｍｉｎが提供される場合、その周波数上のＥ−ＵＴＲＡＮセルは、上記の基準に加えて、その測定されたＲＳＲＱ値がＥ−ＵＴＲＡＮ＿ＲＳＲＰｍｉｎ以上である場合のみ選択されるべきである。Ｅ−ＵＴＲＡＮ＿ＲＳＲＰｍｉｎが提供されない場合、デフォルト値が使用されるべきである。
【００７１】
禁止セルのリストに含まれるＥ−ＵＴＲＡＮセルは、セル再選択の候補として見なされるべきではない。Ｅ−ＵＴＲＡＮ周波数上の最強セルが禁止セルのリストに含まれる場合、移動局は、その周波数上の最強有効セル（第８．４．７項参照）を再選択してもよい。
【００７２】
別の無線アクセス技術（例えば、ＵＴＲＡＮまたはＥ−ＵＴＲＡＮ）のセルへのセル再選択は、好適なＧＳＭ（登録商標）を見出すことができない場合、ＭＳがＲＡＴ間セルからＧＳＭ（登録商標）セルを再選択した後の５秒以内に起こるべきではない。
【００７３】
移動局が、専用信号を通して受信される共通優先順位または個別優先順位のいずれか一方を適用し、優先順位が、あるＲＡＴ間周波数のみに利用可能である場合、優先順位が利用可能ではない、または閾値がサービングセルによって提供されない周波数に属するセルは、測定のため、およびセル再選択のために考慮されるべきではない。
【００７４】
「正常にキャンプしている」状態（３ＧＰＰ  ＴＳ  ４３．０２２参照）にある移動局が、専用信号を通して受信される個別優先順位を適用し、優先順位がサービングセルに利用可能ではない場合、移動局は、任意のＧＳＭ（登録商標）セル（サービングセルを含む）が最低優先順位（すなわち、８つのネットワーク構成値よりも低い）を有すると見なすべきである。
【００７５】
「任意のセル上にキャンプしている」状態（３ＧＰＰ  ＴＳ  ４３．０２２参照）にある移動局は、専用信号を通して受信される個別優先順位を無視するべきであり、好適なセルを見出そうとしながら、サービングセルのシステム情報から受信される優先順位を適用するべきである。移動局がＣＳ音声サービスをサポートする場合、ＭＳは、システム情報の中で提供される優先順位にかかわらず、（好適ではないが）容認可能なＥ−ＵＴＲＡセルを再選択することを回避するべきである。
【００７６】
注記４：ＭＳが容認可能なセル上にキャンプしている場合、それらの削除につながる事象が起こるまで、個別優先順位は破棄されない。」
セルが４５．００８仕様の第６．６．６節に従った優先順位ベース再選択をサポートする場合、その隣接セルのリスト、つまり「隣接セルリスト」（これは、個々のセル、または隣接セルが動作する周波数、あるいは両方を識別してもよい）を、セル上にキャンプしているＭＳに伝送する。リストとともに、Ｓｙｓｔｅｍ  Ｉｎｆｏｒｍａｔｉｏｎ  Ｔｙｐｅ  ２ｑｕａｔｅｒ（ＳＩ２ｑｕａｔｅｒ）メッセージが、上記の抜粋ではＵＴＲＡＮ＿Ｑｒｘｌｅｖｍｉｎと呼ばれる、リストの中の１つ以上のセルに適用可能なパラメータを示してもよい。サービングセル内でブロードキャストされる、候補セルのこのパラメータ、すなわち、ＵＴＲＡＮ＿Ｑｒｘｌｅｖｍｉｎは、好適性チェックで使用されるような候補セルによって送信される、対応するＲＳＣＰ閾値に密接に関係することが通常動作において期待される。そのようなものとして、このパラメータは、ＲＳＣＰベースの基準が満たされない限り、候補セルによってブロードキャストされるシステム情報の電力集約型復号および評価を伴わずに、セルがその基準を満たすか否かをＭＳが識別することを可能にする。
【００７７】
しかしながら、優先順位ベースの再選択のサポートは、非ＬＴＥ対応デバイスにとってはオプションのままである。ＬＴＥ対応デバイスについては、優先順位ベースの再選択が使用されなければならない。また、優先順位ベースの再選択は、リリース７以前のデバイスではサポートされていない。加えて、例えば、セルがＧＥＲＡＮセルである場合、優先順位ベースの再選択がサービングセルで適用可能ではない可能性がある。特にＬＴＥ受信可能範囲の縁の付近で、ＬＴＥが展開されたときでさえも、オペレータが優先順位ベースの再選択をサポートするようにＧＥＲＡＮネットワークをアップグレードしない可能性は十分にある。したがって、ＬＴＥセルまたはＵＴＲＡＮセルが優先順位ベースの再選択をサポートする可能性が最も高い一方で、重複または近くのＧＳＭ（登録商標）セルはサポートしない場合がある。優先順位ベースの再選択をサポートするデバイスは、そのような場合において、古い６．６．５規則、すなわち、ランキングアルゴリズムに従った再選択を使用するように要求される。このシナリオでは、ＵＭＴＳまたはＬＴＥ対応セルが利用可能であるが、ＭＳがそれを好適であると見なさない、または電力集約型システム情報受信および復号が必要とされるときに、ＭＳが適切であるよりも長くＧＳＭ（登録商標）セル上にキャンプしたままとなり得るという点で、上記で説明される問題が該当する。
【００７８】
サービングセル内でブロードキャストされる優先順位ベースの再選択（ＰＢＲ）ＲＳＣＰ閾値パラメータは、オプションであり、ネットワーク構成で設定される。パラメータは、最小必要測定ＲＳＣＰレベルとなる（相関する）可能性が高い。加えて、ＰＢＲパラメータは、特定の値としてブロードキャストされ、１つ以上の明示的に信号伝達された周波数と関連付けられてもよく、またはパラメータ値とともに明示的に信号伝達されない周波数のセルとともに使用される「デフォルト」値としてブロードキャストされてもよい。パラメータは、パラメータと関連付けられる同じ周波数において動作するセルのみに適用可能である。デフォルト値は、隣接セルリストの中の周波数のみに適用される。ブロードキャストデフォルトパラメータの実施例は、３Ｇ優先順位パラメータ説明構造体内で符号化されるＤＥＦＡＵＬＴ＿ＵＴＲＡＮ＿ＱＲＸＬＥＶＭＩＮパラメータであり、明示的に信号伝達された周波数と関連付けられるパラメータの実施例は、反復ＵＴＲＡＮ優先順位パラメータ構造体（３ＧＰＰ  ＴＳ  ４４．０１８  ｖ．１０．３．０参照）内で符号化されるＵＴＲＡＮ＿ＱＲＸＬＥＶＭＩＮパラメータである。いずれのパラメータもセル内でブロードキャストされない場合、アルゴリズムは、使用される値、すなわち、このシナリオではＵＴＲＡＮ＿Ｑｒｘｌｅｖｍｉｎとして特定する。ＰＢＲパラメータは、ネットワーク構成によりセル内でブロードキャストされていない場合があり、またはＭＳによって完全に受信されていない場合がある。
【００７９】
上記で説明されるパラメータの特性の実施例は、以下の通りである。
【００８０】
現在記憶されているＱｒｘｌｅｖｍｉｎ値（３Ｇセルから得られる）は、−１１５から−２４ｄＢｍの範囲を有し、３Ｇセルのシステム情報にそれを含むことが強制的であるため、デフォルト値がない。Ｑｒｘｌｅｖｍｉｎは、そのセルに対する好適性パラメータである。
【００８１】
Ｐｃｏｍｐｅｎｓａｔｉｏｎは、４５．００８仕様の第６．６．５節でも現在参照されている、セル内でブロードキャストされる１つ以上のパラメータから（少なくとも部分的に）導出される、さらなる好適性パラメータである。その値は、０ｄＢとなる可能性が最も高い。
【００８２】
ランキングアルゴリズムで使用するためのＳＩ２ｑｕａｔｅｒの中のレガシーでオプションの情報：
＜３Ｇ  Ａｄｄｉｔｉｏｎａｌ  Ｍｅａｓｕｒｅｍｅｎｔ  Ｐａｒａｍｅｔｅｒｓ  Ｄｅｓｃｒｉｐｔｉｏｎ  ｓｔｒｕｃｔ＞：：＝
＜ＦＤＤ＿Ｑｍｉｎ＿Ｏｆｆｓｅｔ：ｂｉｔ（３）＞
−−ＦＤＤ  Ｐａｒａｍｅｔｅｒｓ
＜ＦＤＤ＿ＲＳＣＰｍｉｎ：ｂｉｔ（４）＞；
ＦＤＤ＿ＲＳＣＰｍｉｎについては、範囲が−１１４から−８４ｄＢｍであり、デフォルトが−１０２ｄＢｍであり、記憶されたＱｒｘｌｅｖｍｉｎ値が利用可能ではなく、信号伝達されたＦＤＤ＿ＲＳＣＰｍｉｎがない場合に適用される。
【００８３】
優先順位ベースの再選択のためにリリース８に導入されるＳＩ２ｑｕａｔｅｒの中の優先順位ベースの再選択パラメータ：
＜Ｐｒｉｏｒｉｔｙ  ａｎｄ  Ｅ−ＵＴＲＡＮ  Ｐａｒａｍｅｔｅｒｓ  Ｄｅｓｃｒｉｐｔｉｏｎ  ｓｔｒｕｃｔ＞：：＝
｛０｜１＜Ｓｅｒｖｉｎｇ  Ｃｅｌｌ  Ｐｒｉｏｒｉｔｙ  Ｐａｒａｍｅｔｅｒｓ  Ｄｅｓｃｒｉｐｔｉｏｎ：
＜Ｓｅｒｖｉｎｇ  Ｃｅｌｌ  Ｐｒｉｏｒｉｔｙ  Ｐａｒａｍｅｔｅｒｓ  Ｄｅｓｃｒｉｐｔｉｏｎ  ｓｔｒｕｃｔ＞＞｝
｛０｜１＜３Ｇ  Ｐｒｉｏｒｉｔｙ  Ｐａｒａｍｅｔｅｒｓ  Ｄｅｓｃｒｉｐｔｉｏｎ：
＜３Ｇ  Ｐｒｉｏｒｉｔｙ  Ｐａｒａｍｅｔｅｒｓ  Ｄｅｓｃｒｉｐｔｉｏｎ  ｓｔｒｕｃｔ＞＞｝
｛０｜１＜Ｅ−ＵＴＲＡＮ  Ｐａｒａｍｅｔｅｒｓ  Ｄｅｓｃｒｉｐｔｉｏｎ  ：
＜Ｅ−ＵＴＲＡＮ  Ｐａｒａｍｅｔｅｒｓ  Ｄｅｓｃｒｉｐｔｉｏｎ  ｓｔｒｕｃｔ＞＞｝；。
【００８４】
＜３Ｇ  Ｐｒｉｏｒｉｔｙ  Ｐａｒａｍｅｔｅｒｓ  Ｄｅｓｃｒｉｐｔｉｏｎ  ｓｔｒｕｃｔ  ＞：：＝
＜ＵＴＲＡＮ＿Ｓｔａｒｔ：ｂｉｔ＞
＜ＵＴＲＡＮ＿Ｓｔｏｐ  ：ｂｉｔ＞
｛０｜１＜ＤＥＦＡＵＬＴ＿ＵＴＲＡＮ＿ＰＲＩＯＲＩＴＹ：ｂｉｔ（３）＞
＜ＤＥＦＡＵＬＴ＿ＴＨＲＥＳＨ＿ＵＴＲＡＮ：ｂｉｔ（５）＞
＜ＤＥＦＡＵＬＴ＿ＵＴＲＡＮ＿ＱＲＸＬＥＶＭＩＮ：ｂｉｔ（５）＞｝
｛１  ＜Ｒｅｐｅａｔｅｄ  ＵＴＲＡＮ  Ｐｒｉｏｒｉｔｙ  Ｐａｒａｍｅｔｅｒｓ：＜Ｒｅｐｅａｔｅｄ  ＵＴＲＡＮ  Ｐｒｉｏｒｉｔｙ  Ｐａｒａｍｅｔｅｒｓ  ｓｔｒｕｃｔ＞＞｝＊＊０；
ＤＥＦＡＵＬＴ＿ＵＴＲＡＮ＿ＱＲＸＬＥＶＭＩＮ（５ビットフィールド）
これらのフィールドは、３ＧＰＰ  ＴＳ  ４５．００８で定義されるように、優先順位に基づくＲＡＴ間セル再選択アルゴリズムに使用される。反復ＵＴＲＡＮ優先順位パラメータ構造で明示的に記載されていない３Ｇセル再選択リストに含まれる任意のＵＴＲＡＮ周波数は、これらのデフォルトパラメータ値が割り当てられるべきである。［．．．］；ＤＥＦＡＵＬＴ＿ＵＴＲＡＮ＿ＱＲＸＬＥＶＭＩＮフィールドは、ＵＴＲＡＮ＿ＱＲＸＬＥＶＭＩＮフィールドとして符号化される。
【００８５】
存在する任意のパラメータは、これらのパラメータに対して移動局によって保持される任意の古いデータを上書きする。
【００８６】
＜Ｒｅｐｅａｔｅｄ  ＵＴＲＡＮ  Ｐｒｉｏｒｉｔｙ  Ｐａｒａｍｅｔｅｒｓ  ｓｔｒｕｃｔ＞：：＝
｛１＜ＵＴＲＡＮ＿ＦＲＥＱＵＥＮＣＹ  ＿ＩＮＤＥＸ：ｂｉｔ（５）＞｝＊＊０
｛０｜１＜ＵＴＲＡＮ＿ＰＲＩＯＲＩＴＹ：ｂｉｔ（３）＞｝
＜ＴＨＲＥＳＨ＿ＵＴＲＡＮ＿ｈｉｇｈ：ｂｉｔ（５）＞
｛０｜１＜ＴＨＲＥＳＨ＿ＵＴＲＡＮ＿ｌｏｗ：ｂｉｔ（５）＞｝
｛０｜１＜  ＵＴＲＡＮ＿ＱＲＸＬＥＶＭＩＮ：ｂｉｔ（５）＞｝；。
【００８７】
表１は、３ＧＰＰ  ＴＳ  ４５．００８からのＵＴＲＡＮ＿ＱＲＸＬＥＶＭＩＮの既存の定義を挙げる（最後の３列は、範囲、パラメータを符号化するために使用されるビット数、情報が送信されるチャネル、つまり、ブロードキャスト制御チャネル、ダウンリンクを示す）。
【００８８】
【表１】
2013544478.tif 000003
【００８９】
関心の周波数に適用可能なＵＴＲＡＮ＿ＱＲＸＬＥＶＭＩＮおよびＤＥＦＡＵＬＴ＿ＵＴＲＡＮ＿ＱＲＸＬＥＶＭＩＮパラメータの有無の複数の考えられる組み合わせがある。以下の表は、各々の場合にどの値が適用されるかを特定する。
【００９０】
【表２】
2013544478.tif 000004
【００９１】
注記１：上記の表２では、反復ＵＴＲＡＮ優先順位パラメータ構造体は、その内側で符号化されるＵＴＲＡＮ＿ＦＲＥＱＵＥＮＣＹ＿ＩＮＤＥＸ値によって識別される、１つ以上の周波数と関連付けられる。この文脈での「関心の周波数」は、候補セルが動作している周波数を意味する。
【００９２】
（本開示の実施例）
本開示によれば、ランキングアルゴリズムに従って候補セルを評価するときに、優先順位ベースの再選択アルゴリズムの一部として受信されるパラメータが使用されることが提案される。優先順位ベースのパラメータは、サービングセルまたは以前の非サービングセルからＭＳにおいて受信されていてもよい。
【００９３】
図４は、本開示の具体的実施例を表すフローチャートを示す。具体的実施例では、プロセスは、ＭＳがＧＳＭ（登録商標）セル上にキャンプしている状態で始まる（ステップ４００）。ＭＳがセル再選択またはセル選択を使用することによってサービングセル上にキャンプしているかどうかは無関係である。随意で、ＭＳは、ＵＭＴＳまたはＬＴＥ隣接セルリストを取得する。これは、サービングセル内でブロードキャストされてもよく、または別様に取得されてもよい（ステップ４０２）。再度、随意で、ＭＳはまた、利用可能であればＦＤＤ＿ＲＳＣＰｍｉｎを取得してもよい（ステップ４０４）。ＦＤＤ＿ＲＳＣＰｍｉｎは、ネットワークオペレータによるセルの構成に応じて、サービングＧＳＭ（登録商標）セルで利用可能であってもなくてもよい値である。それは、ＵＴＲＡＮ  ＦＤＤセル再選択のためのＲＳＣＰの最小閾値を定義する。
【００９４】
ステップ４０６では、ＭＳは、ＵＴＲＡＮ＿Ｑｒｘｌｅｖｍｉｎ値を取得する。上記で説明されるように、この値は、優先順位ベースの再選択情報とともに、またはその一部として送信されるパラメータである。ＭＳは、異なるセルのＲＡＴにかかわらず、そのセルから値を以前に取得していてもよい。そのようなものとして、図４のフローチャートの特定の順序は不可欠ではないことが理解されるであろう。ＵＴＲＡＮ＿Ｑｒｘｌｅｖｍｉｎの値は、本明細書ではＦＲＥＱ１と呼ばれる、特定の周波数と関連付けられてもよい。
【００９５】
ステップ４０８では、ＭＳは、周波数ＦＲＥＱ１、すなわち、優先順位ベースの再選択パラメータ（ＵＴＲＡＮ＿Ｑｒｘｌｅｖｍｉｎ）と関連付けられる同じ周波数上にある、３Ｇセルを検出することが例証される。次いで、ＭＳは、信号強度または信号品質等のセルの特性を識別するように、セルの測定を行ってもよい（ステップ４１０）。
【００９６】
ステップ４１２では、候補セルが再選択に好適であるか否かを決定するために、優先順位ベースの再選択（ＰＢＲ）パラメータ、すなわち、そのセルの周波数ＦＲＥＱ１に対するＵＴＲＡＮ＿Ｑｒｘｌｅｖｍｉｎが使用される。候補セルが、このパラメータに基づく要件を満たさない、または超えない、例えば、セルからＭＳによって受信される信号の特性が閾値を超えない場合、プロセスが停止し、ＭＳがＧＳＭ（登録商標）セル上にキャンプしたままとなる（ステップ４１４）。
【００９７】
ＦＲＥＱ１に対するＰＢＲパラメータＵＴＲＡＮ＿Ｑｒｘｌｅｖｍｉｎに基づいて、候補セルが要件を満たす、または超えることが決定された場合には、ＭＳは、候補セルへの再選択を行ってもよい（ステップ４２０）。セルの属性は、例えば、０ｄＢまたは＋１０ｄＢであり得る所定量だけ、閾値を超える必要があってもよいことに留意されたい。随意で、セルが他の適用可能な再選択基準を満たさない場合（ステップ４１６）、プロセスが停止してもよく、ＭＳがＧＳＭ（登録商標）セル上にキャンプしたままとなってもよく、再選択は、候補セルに行われなくてもよい（ステップ４１８）。
【００９８】
加えて、および随意で、ＭＳが新しいセル内内にキャンプしているときに、登録更新が行われてもよい（ステップ４２２）。この登録更新は、ＭＳが新しいセルまたは新しい登録地域に再選択したことをネットワークに明示的に通知してもよい。加えて、および随意で、データが新しいセル（図示せず）内のネットワークに伝送され、ネットワークから受信されてもよい（４２４）。登録更新ステップ（ステップ４２２）は、例えば、ルーティング地域更新、位置更新、複合ルーティング地域更新、または類似物を含んでもよい。登録更新に関するさらなる情報については、参照することにより本明細書に組み込まれる、３ＧＰＰ  ＴＳ  ２４．００８仕様、「移動無線インターフェース３層仕様；コアネットワークプロトコル；段階３」を参照されたい。
【００９９】
本開示による、ランキングアルゴリズムでのＰＢＲパラメータの使用に加えて、どのパラメータがＭＳによって使用されるべきかという好ましい順序付けを概説する、優先順位付けまたは優先スキームが提供される。
【０１００】
優先規則を決定するために、パラメータの性質を評価することが賢明であってもよい。この点に関して、パラメータを記憶するときに、パラメータをパラメータの性質の表示と関連付けることが賢明であってもよい。これの実施例は、以下の通りである。
【０１０１】
ＰＢＲパラメータ値は、優先順位ベースの再選択に関係するシステム情報の一部としてサービングセル内で得られていてもよく、あるいはＭＳが以前にキャンプしている、異なるまたは同じＲＡＴのセル等の異なるセルから受信されていてもよい。
【０１０２】
加えて、決定されたＰＢＲパラメータが、サービングセルによって、または上記のように別様に明示的に信号伝達されたかどうか、あるいはＰＢＲパラメータが特定または事前構成デフォルト値から導出されるかどうか、あるいはＰＢＲパラメータがＤＥＦＡＵＬＴ＿ＵＴＲＡＮ＿Ｑｒｘｌｅｖｍｉｎ等のデフォルト値を示す受信したパラメータから導出されるかどうかを決定することが賢明であってもよい。これは、ＰＢＲ好適性パラメータの精度および信頼性に影響を及ぼす。
【０１０３】
また、周波数特有のパラメータが、周波数上のセルへの以前の再選択またはセル選択試行によって得られた、正しい周波数に利用可能であるか否かを決定することも可能である。さらに、ＭＳ上のデータ記憶の中の記憶されたパラメータと、再選択試行の一部以外として、周波数上のセルからパラメータを復号することによって、周波数特有のパラメータが得られているかどうかを関連付けることが賢明であってもよい。この場合において、デフォルトＰＢＲ再選択パラメータが、信号伝達されるよりもむしろ特定される、パラメータの使用は、異なる周波数のセル内で信号伝達されるデフォルト値に関して、異なる優先レベルを有してもよい。例えば、特定デフォルト値は、たとえ周波数特有であっても、デフォルト周波数値ほど確実ではない場合がある。
【０１０４】
一実施例では、候補セル（上記のようなサービングセルであってもなくてもよい）と同じ周波数において動作するセルから得られた、記憶されているパラメータは、異なる周波数を有するセルから得られたパラメータよりも確実と見なすことができる。この相違の１つの理由は、携帯電話ネットワークオペレータによるセルの可能な構成であり、すなわち、異なる周波数において動作するセルは、意図的に異なる好適性要件を有し得る。加えて、そのセルへの再選択試行から復号されるパラメータは、同じ周波数において動作する別のセルよりもむしろセル自体から受信されているため、異なる信頼性を有し得る。
【０１０５】
ＰＢＲパラメータの性質の上記の区別を考慮すると、好ましい実施形態では、以下の優先レベルが適用されてもよい。これらの相対的優先レベルは好ましいにすぎないことが注目に値する。実際に、ＰＢＲパラメータは、任意の特定の順序に従って使用されてもよい。
【０１０６】
好ましくは、候補セルの周波数に対する周波数特有のパラメータは、候補セルの周波数以外の周波数に（付加的に）適用される、非周波数特有のパラメータに優先する。
【０１０７】
好ましくは、サービングセル上にキャンプしている間に得られるパラメータは、別のセル上にキャンプしている間に得られるパラメータ、または別のセル内でブロードキャストされるパラメータに優先する。
【０１０８】
好ましくは、信号伝達されるよりもむしろ特定されるパラメータ、具体的には、パラメータのデフォルト値が、明示的に伝達される（信号伝達されるＤＥＦＡＵＬＴ値を用いることを含む）値よりも低い優先度となる。
【０１０９】
上記の具体的実施例では、周波数特有の特定値が、異なる周波数と関連付けられる信号伝達値よりも低い優先度となる。
【０１１０】
ＰＢＲパラメータは、得られて使用するために選択されたときに、例えば、セルの周波数およびパラメータと関連付けられる周波数に基づいて、１つ以上のセルに適用可能と見なされてもよい。従来、ＭＳは、ＰＢＲパラメータを使用することによって、そのパラメータが適用可能であるセルを評価しようとするのみであってもよい。上記で説明されるように、ＰＢＲパラメータは、本開示によるランキングアルゴリズムで利用されるときに、ＰＢＲパラメータが最初に適用可能ではないセルを評価するために、ＭＳによって使用されてもよい。一実施例では、ＰＢＲパラメータと関連付けられるものとは異なる周波数において動作するセルが、そのＰＢＲパラメータを使用してＭＳによって評価されてもよい。
【０１１１】
図５は、上記の優先レベルの具体的な好ましい実施例を図示するフローチャートである。再度、この順序付けは例示的にすぎない。
【０１１２】
ステップ５００では、ＭＳが周波数ＦＲＥＱ１上で動作するＵＴＲＡＮセルを検出している状態で、プロセスが始まる。このセルは、この実施例では候補セルと呼ばれる。ＭＳが、サービングセル、この実施例ではＧＥＲＡＮセルから、周波数ＦＲＥＱ１と関連付けられるＵＴＲＡＮ＿Ｑｒｘｌｅｖｍｉｎ値を取得している（ステップ５０２）には、この値は、再選択のためにセルの適切性を決定するために閾値の基礎として使用される（ステップ５０４）。
【０１１３】
続いて、いずれのＰＢＲパラメータも利用可能ではない場合（ＳＩ２ｑｕａｔｅｒメッセージが完全には受信されていない場合がある、またはＭＳもしくはセルがこの機能性をサポートしない場合がある）、および好適性パラメータが、サービングセル内にキャンプしている間の候補セルと同じ周波数ＦＲＥＱ１を有するセルから得られている場合（ステップ５０６）には、これらのパラメータは、閾値計算の基礎として使用されるべきである（ステップ５０８）。この場合において、好適性パラメータは、同じＲＡＴを有し、サービングセル上にキャンプしている間の候補セルと同じ周波数を使用するセルからのシステム情報（ＳＩＢ）の回収の結果として、記憶されていてもよい。これは、失敗または成功した再選択試行の結果としてのものであってもよく、すなわち、ＭＳは、システム情報を復号するように他のセルの周波数に同調していてもよい。ＭＳは、将来の使用のために、パラメータを記憶し、パラメータをセルの周波数と関連付けていてもよい（この場合、候補セルおよびパラメータが得られたセルは同じであってもよいことに留意されたい）。
【０１１４】
いずれの好適性パラメータも、サービングセル内にキャンプしている間に得られたＦＲＥＱ１上で動作するセルから記憶されていない場合には、ＭＳは、ＦＲＥＱ１と関連付けられるＰＢＲパラメータが別のセル内で得られている、すなわち、サービングセル内で得られていないかどうかをチェックしてもよい（ステップ５１０）。これらのＰＢＲパラメータが取得されている場合には、ランキングアルゴリズムで閾値の基礎として使用することができる（ステップ５１２）。
【０１１５】
いずれのＰＢＲ好適性パラメータも取得されていない場合には、ＭＳは、以前のセル上にキャンプしている間に得られた周波数ＦＲＥＱ１上のＵＴＲＡＮセルからの記憶されたパラメータを使用することができるかどうかを決定する（ステップ５１４）。これらが利用可能である場合、記憶されたパラメータは、ランキングアルゴリズムで閾値の基礎として使用することができる（ステップ５１６）。
【０１１６】
周波数ＦＲＥＱ１と関連付けられる記憶されたパラメータがない場合には、プロセスは既知の方式で継続する。例えば、ステップ５１８で、サービングセルがオプションのＦＤＤ＿ＲＳＣＰｍｉｎ値を利用可能にする場合には、これは、４５．００８仕様で示される方式で、閾値の基礎として使用される（ステップ５２０）。好適性パラメータが、候補セルとは異なる周波数（ＦＲＥＱ２）上で動作しているセルに対して記憶されている、すなわち、ＦＲＥＱ２≠ＦＲＥＱ１である（ステップ５２２）場合には、この値は、閾値の基礎として使用することができる（ステップ５２４）。この値は、例えば、周波数ＦＲＥＱ２上で動作するセル上の以前の再選択試行から得られていてもよい。４５．００８仕様通りに、上記のパラメータのうちのいずれもＭＳ上で利用可能ではない場合には、ＭＳは、ＤＥＦＡＵＬＴ値、例えば、ＤＥＦＡＵＬＴ  ＦＤＤ＿Ｑｍｉｎを使用するべきである（ステップ５２６）。
【０１１７】
図６は、実施形態の具体的実施例を示す。示されるように、ＭＳ６００は、第１のセル６０２上にキャンプしている（ステップ６０８）。このセルはＧＳＭ（登録商標）セルである。このセル６０２上にキャンプしている間に、ＭＳ６００は、ネットワーク構成に応じて、特定の周波数と関連付けられても関連付けられなくてもよい、１つ以上のＰＢＲパラメータを随意で含む、ＳＩ２ｑｕａｔｅｒメッセージをセル６０２から受信する（ステップ６１０）。次いで、ＭＳは、とりわけ、信号強度および信号品質を識別するように、候補セルを検出して測定してもよい（ステップ６１２）。次いで、ＭＳ６００は、候補セルの周波数と関連付けられる、ＳＩ２ｑｕａｔｅｒの一部として受信したパラメータ、すなわち、ＵＴＲＡＮ＿Ｑｒｘｌｅｖｍｉｎを使用して、候補セルを評価する（ステップ６１４）。候補セルがパラメータに基づく基準を満たした場合には、ＭＳ６００は、候補セル６０４へ再選択するように、適切な後続のステップを続ける（ステップ６１６）。これらのステップが成功した場合には、いったんセル６０４上にキャンプすると、ＭＳは、新しいセル上にキャンプしていることをネットワークに知らせるように、登録更新を行ってもよい（ステップ６１８）。
【０１１８】
別の具体的実施例が図７に示されている。例示的なプロセスは、ＭＳ６００がセル２  ６０６上にキャンプしている、ステップ７０８から始まる。一般的に、ＭＳがセル２上にキャンプしている必要はなく、このステップは例示的にすぎない。このセルは、任意の無線アクセス技術、例えば、ＧＳＭ（登録商標）、ＵＭＴＳ、またはＬＴＥのものであってもよい。ステップ７１０で、ＭＳ６００は、サービングセル、この場合はセル２  ６０６から、優先順位ベースの再選択パラメータを受信する。アイドルモードである間に、ＭＳ６００は、ＧＳＭ（登録商標）  ＲＡＴを使用して動作する、セル１  ６０２の特性を検出して測定する（ステップ７１２）。このセルが好適であり、適用可能な再選択要件を満たす場合、ＭＳ６００は、セル１  ６０２へ再選択する（ステップ７１４）。この実施例では、セル１  ６０２へ切り替えるプロセスは、再選択として表される。しかしながら、ＭＳがセル１  ６０２へ移動する、プロセスの部分７２０は、実際には、セル変更の任意の方法によるものであってもよいことが明確となるであろう。実施例は、とりわけ、ハンドオーバ、再選択、およびリダイレクトを含む。
【０１１９】
ＭＳ６００は、ＧＳＭ（登録商標）セル１  ６０２上にキャンプしているときに、ＵＭＴＳ  ＲＡＴを使用して動作し得る、候補セル６０４の特性を検出して測定してもよい（ステップ７１６）。プロセスのこの時点で、ＭＳ６００は、セル１  ６０２上にキャンプしている間に、送信されていない、またはまだ受信されていないため、優先順位ベースの再選択パラメータを受信していない。次いで、ＭＳ６００は、以前にセル２  ６０６上にキャンプしているときにそれから受信した、記憶されたＰＢＲパラメータを使用して、候補セル６０４を評価する（ステップ７１８）。候補セル６０４がこれらのパラメータと関連付けられる要件を満たす場合には、ＭＳ６００は、そのセルへ再選択する（図示せず）。
【０１２０】
４５．００８仕様の第６．６．５節のテキストを参照すると、本開示の原則を具現化する具体的実施例は、以下の通りである：
「［．．．］。
【０１２１】
次いで、ＭＳは、以下の場合に、好適な（ＴＳ  ２５．３０４参照）ＵＴＲＡＮセルを再選択するべきである：
−ＴＤＤセルについて、測定されたＲＳＣＰ値が、５秒の期間にわたってＴＤＤ＿Ｑｏｆｆｓｅｔ以上である
−ＦＤＤセルについて、以下の基準が５秒の期間にわたって全て満たされる
１．その測定されたＲＳＣＰ値が、サービングセルのＲＬＡ＿Ｃの値および好適な（３ＧＰＰ  ＴＳ  ０３．２２参照）非サービングＧＳＭ（登録商標）セルの全てを値ＦＤＤ＿Ｑｏｆｆｓｅｔだけ超える
２．その測定されたＥｃ／Ｎｏ値が値ＦＤＤ＿Ｑｍｉｎ−ＦＤＤ＿Ｑｍｉｎ＿Ｏｆｆｓｅｔ以上である
３．その測定されたＲＳＣＰ値がＦＤＤ＿ＲＳＣＰ＿ｔｈｒｅｓｈｏｌｄ以上である。
【０１２２】
以前の１５秒以内に発生するセル再選択の場合、ＦＤＤ＿ＱｏｆｆｓｅｔまたはＴＤＤ＿Ｑｏｆｆｓｅｔは、５ｄＢだけ増加させられる
−Ｅｃ／ＮｏおよびＲＳＣＰが測定された数量である（第８．１．５項参照）
−ＦＤＤ＿ＲＳＣＰ＿ｔｈｒｅｓｈｏｌｄが以下に等しい：
−  ＵＴＲＡＮセルの周波数に対するＵＴＲＡＮ＿ＱＲＸＬＥＶＭＩＮがサービングセル内でブロードキャストされる場合、ＵＴＲＡＮ＿ＱＲＸＬＥＶＭＩＮ＋１０ｄＢであり、それ以外の場合、
−  これらのパラメータが利用可能であり、候補セルと同じ周波数において動作するセルによって得られている場合、Ｑｒｘｌｅｖｍｉｎ＋Ｐｃｏｍｐｅｎｓａｔｉｏｎ＋１０ｄＢであり、それ以外の場合、
−  ＵＴＲＡＮセルの周波数に対するＵＴＲＡＮ＿ＱＲＸＬＥＶＭＩＮがサービングセル以外のセル内でブロードキャストされる場合、ＵＴＲＡＮ＿ＱＲＸＬＥＶＭＩＮ＋１０ｄＢであり、それ以外の場合、
−  ＦＤＤ＿ＲＳＣＰｍｉｎがサービングセル上でブロードキャストされる場合、ＦＤＤ＿ＲＳＣＰｍｉｎ−ｍｉｎ（（Ｐ＿ＭＡＸ−２１ｄＢｍ），３ｄＢ）であり、それ以外の場合、
−  これらのパラメータが利用可能であり、異なる周波数において動作するセルによって得られている場合、Ｑｒｘｌｅｖｍｉｎ＋Ｐｃｏｍｐｅｎｓａｔｉｏｎ＋１０ｄＢであり、そうでなければ、
−  ＦＤＤ＿ＲＳＣＰｍｉのデフォルト値である
−ＱｒｘｌｅｖｍｉｎはＵＴＲＡＮ  ＦＤＤセル内の最小限必要なＲＸレベル（ｄＢｍ）である（３ＧＰＰ  ＴＳ  ２５．３０４参照）
−Ｐｃｏｍｐｅｎｓａｔｉｏｎはｍａｘ（ＵＥ＿ＴＸＰＷＲ＿ＭＡＸ＿ＲＡＣＨ−Ｐ＿ＭＡＸ，０）（ｄＢ）である（３ＧＰＰ  ＴＳ  ２５．３０４参照）
−ＵＥ＿ＴＸＰＷＲ＿ＭＡＸ＿ＲＡＣＨは、ＲＡＣＨ上のＵＴＲＡＮ  ＦＤＤセルにアクセスするときにＭＳが使用してもよい最大ＴＸ電力レベル（ｄＢｍ）である（３ＧＰＰ  ＴＳ  ２５．３０４参照）
−Ｐ＿ＭＡＸはＵＴＲＡＮ  ＦＤＤモードでのＭＳの最大ＲＦ出力電力（ｄＢｍ）である（３ＧＰＰ  ＴＳ  ２５．３０４参照）
−ＦＤＤ＿Ｑｍｉｎ、ＦＤＤ＿Ｑｏｆｆｓｅｔ、ならびに随意でＦＤＤ＿ＲＳＣＰｍｉｎおよびＦＤＤ＿Ｑｍｉｎ＿Ｏｆｆｓｅｔは、サービングセルのＢＣＣＨ上でブロードキャストされる
−ＴＤＤ＿Ｑｏｆｆｓｅｔは、サービングセルのＢＣＣＨ上でブロードキャストされる。
【０１２３】
注記１：ＵＴＲＡＮセルが好適であるか否かを決定するために必要とされるパラメータは、ＵＴＲＡＮセルのＢＣＣＨ上でブロードキャストされる。ＭＳは、ＵＴＲＡＮセルのＢＣＣＨを復号する前に、ＵＴＲＡＮセルに向かった再選択を開始してもよく、ＵＴＲＡＮセルが好適ではない場合にサービスの短い中断につながる。
【０１２４】
注記２：ＦＤＤ＿ＲＳＣＰｍｉｎがブロードキャストされる場合、最適なＧＳＭ（登録商標）からＵＴＲＡＮへの再選択性能は、ＵＴＲＡＮ受信可能範囲境界領域におけるＵＴＲＡＮセルが＋２４ｄＢｍ  ＵＥ電力に対して計画された場合に達成される。
【０１２５】
注記３：パラメータＴＤＤ＿Ｑｏｆｆｓｅｔは、標的ＵＴＲＡＮ  ＴＤＤセルに向かった再選択の絶対閾値である。
【０１２６】
ＭＳは、ＵＴＲＡＮ  ＦＤＤセル上にキャンプしようとしている間に、同等のＰＬＭＮのＵＴＲＡＮ  ＦＤＤセルから復号されたときはいつでも、上記のＵＴＲＡＮセルＲＳＣＰ好適性基準パラメータを記憶するべきである。同等のＰＬＭＮのＵＴＲＡＮ  ＦＤＤセルからのごく最近復号されたパラメータは、全てのＵＴＲＡＮ  ＦＤＤセルに向かった有効な再選択基準である。このパラメータのリストは、ＰＬＭＮ選択後に消去されるべきである（３ＧＰＰ  ＴＳ  ２３．１２２参照）。加えて、ＭＳは、サービングセルと同じＰＬＭＮ（または同等のＰＬＭＮ）内の任意のセルから復号されたときはいつでも、それらの（複数の）関連周波数とともにＵＴＲＡＮ＿ＱＲＸＬＥＶＭＩＮパラメータを記憶してもよく、所与の周波数に対するごく最近受信したパラメータのみが、使用されるべきである。
【０１２７】
注記４：ＵＴＲＡＮ＿ＱＲＸＬＥＶＭＩＮは、ＤＥＦＡＵＬＴ＿ＵＴＲＡＮ＿ＱＲＸＬＥＶＭＩＮフィールドを用いて、明示的または暗示的に信号伝達されてもよい（３ＧＰＰ  ＴＳ  ４４．０１８参照）。
【０１２８】
注記５：ＵＴＲＡＮ＿ＱＲＸＬＥＶＭＩＮ値が得られたセルは、ＧＳＭ（登録商標）  セルである必要はない。
【０１２９】
本開示は、主に方法に関して説明されるが、当業者であれば、本開示はまた、ハードウェア構成要素、ソフトウェア、または２つの任意の組み合わせを介したものであろうと、あるいは任意の他の方式によるものであろうと、説明された方法の側面および特徴のうちの少なくともいくつかを行うための構成要素を含む、手持ち式電子デバイス等の種々の装置も対象とすることを理解するであろう。また、その上に記憶されたプログラム命令、またはコンピュータ可読プログラム命令を搬送するコンピュータデータ信号を含む、事前記録記憶デバイスまたは他の同様のコンピュータ可読媒体等の装置とともに使用するための製造品は、説明された方法の実践を促進する装置を対象としてもよい。そのような装置、製造品、およびコンピュータデータ信号もまた、本開示の範囲内に入ることを理解されたい。
【０１３０】
本明細書で使用されるような「コンピュータ可読媒体」は、携帯用コンピュータディスケット、ハードディスクドライブ（ＨＤＤ）、ランダムアクセスメモリ（ＲＡＭ）、読取専用メモリ（ＲＯＭ）、消却・プログラム可能型読取専用メモリ（ＥＰＲＯＭ）またはフラッシュメモリ、コンパクトディスク（ＣＤ）、デジタル多用途ディスク（ＤＶＤ）、またはＢｌｕ−ｒａｙ（登録商標）ＴＭディスク等の光ディスク、および固体記憶デバイス（例えば、ＮＡＮＤフラッシュまたは同期型ダイナミックＲＡＭ（ＳＤＲＡＭ））を含むが、それらに限定されない、コンピュータまたはコンピュータデバイスによって使用または実行するための命令を記憶することができる、任意の媒体を意味する。
【０１３１】
本開示の例示的実施形態は、任意の特定のオペレーティングシステム、システムアーキテクチャ、モバイルデバイスアーキテクチャ、サーバアーキテクチャ、またはコンピュータプログラミング言語に限定されない。
【０１３２】
上記で提示される種々の実施形態は、実施例にすぎず、本明細書で説明される革新の変化例が、当業者に明白となるであろう。実施形態は、それらの特性から逸脱することなく、いくつかの形態で実装されてもよいため、上記の実施形態は、特に指定がない限り、先述の説明の詳細のうちのいずれによっても限定されないが、むしろ、添付の請求項で定義されるようなその範囲内で広く解釈されるべきであることも理解されたい。したがって、請求項の範囲またはそのような範囲の同等物内に入る種々の変更および修正は、添付の請求項によって包含されることを目的としている。
【０１３３】
説明されるような方法は、特定の順序で動作を実行させることに留意されたい。しかしながら、状況が許可する場合、行われる任意の動作の順序を変化させることができ、したがって、本明細書で説明されるような順序は、限定的となることを目的としていない。
【０１３４】
また、方法が説明されている場合、方法を実行するように配設されたデバイスに対しても保護が求められることも意図され、特徴が相互から独立して請求されている場合、これらは他の請求された特徴とともに使用されてもよいことにも留意されたい。
【０１３５】
さらに、本明細書で説明される装置は、ワイヤレス電気通信デバイス、またはＵＴＲＡＮあるいは他のユーザ機器、またはアクセスネットワーク構成要素等の単一の構成要素、例えば、相互と通信している複数のそのような構成要素の組み合わせ、またはそのような構成要素のサブネットワークあるいはフルネットワークを備えてもよいことに留意されたい。
【０１３６】
実施形態は、３ＧＰＰ仕様に関して本明細書で説明されている。しかしながら、説明される方法および装置は、本明細書で参照される仕様またはそれらのバージョンに限定されることを目的としないが、将来のバージョンまたは他の仕様に適用可能であってもよい。
【図１】
2013544478.tif 000005
【図２】
2013544478.tif 000006
【図３−１】
2013544478.tif 000007
【図３−２】
2013544478.tif 000008
【図４】
2013544478.tif 000009
【図５】
2013544478.tif 000010
【図６】
2013544478.tif 000011
【図７】
2013544478.tif 000012
【国際調査報告】
2013544478.tif 000013
2013544478.tif 000014
2013544478.tif 000015